(57)【要約】【課題】無線通信システムにおけるデータ送信を実行する方法及び装置を提供する。【解決手段】無線装置(ｗｉｒｅｌｅｓｓ ｄｅｖｉｃｅ)は、セカンダリＲＡＴ(ｓｅｃｏｎｄａｒｙ ｒａｄｉｏ ａｃｃｅｓｓ ｔｅｃｈｎｏｌｏｇｉｅｓ)システムに対して構成されるアクション(ａｃｔｉｏｎ)の閾値を含む情報を取得し、前記セカンダリＲＡＴシステムの測定結果及び前記閾値によりトリガされる条件(ｃｏｎｄｉｔｉｏｎ)を確認し、前記条件による該当アクションを実行する。前記セカンダリＲＡＴシステムは、ユーザ平面(Ｕ−ｐｌａｎｅ)データのために使われ、前記閾値は、プライマリＲＡＴシステムまたは前記セカンダリＲＡＴシステムを含むネットワーク選好、ＱｏＳ(ｑｕａｌｉｔｙ ｏｆ ｓｅｒｖｉｃｅ)情報及びベアラ情報のうち少なくともいずれか一つにより変更される。前記アクションは、前記セカンダリＲＡＴシステムに対して連結/連結解除/データ送信方向を含む。【選択図】図１３
2016524355.tif 000002
【特許請求の範囲】
【請求項１】
無線通信システムにおいて端末（ＵＥ）がデータ送信を実行する方法であって、
セカンダリ無線アクセス技術（ＲＡＴ）システムに対して構成されるアクションの閾値を含む情報を取得することと、
前記閾値によりトリガされる条件と前記セカンダリＲＡＴシステムの測定結果とを確認することと、
前記条件に従って該当アクションを実行することとを含み、
前記セカンダリＲＡＴシステムは、ユーザ平面(Ｕ−ｐｌａｎｅ)データのために使われ、前記閾値は、プライマリＲＡＴシステムまたは前記セカンダリＲＡＴシステムを含むネットワーク選好、サービス品質（ＱｏＳ）情報及びベアラ情報のうち少なくともいずれか一つにより変更される、方法。
【請求項２】
前記情報は、前記セカンダリＲＡＴシステムと連結が設定されたかどうか、前記セカンダリＲＡＴシステムに対するスキャニングが一時中断されたかどうか、及び前記プライマリＲＡＴシステムと前記セカンダリＲＡＴシステムとの間のデータ送信のための遷移方向が設定されたかどうかを含むアクションに関する情報をさらに含み、
前記アクションに関する前記情報は、該当アクションに関する番号を含む、請求項１に記載の方法。
【請求項３】
前記情報は、トリガリング閾値(ｔｈｒｅｓｈｏｌｄ ｏｆ ｔｒｉｇｇｅｒｉｎｇ)、期間(ｄｕｒａｔｉｏｎ)を含む条件に関する情報をさらに含み、
前記期間は、条件満足期間(ｓａｔｉｓｆａｃｔｉｏｎ ｄｕｒａｔｉｏｎ ｏｆ ａ ｃｏｎｄｉｔｉｏｎ)、スリープモード遷移期間(ｓｌｅｅｐ ｍｏｄｅ ｔｒａｎｓｉｔｉｏｎ ｄｕｒａｔｉｏｎ)及び連結解除期間(ｄｉｓａｓｓｏｃｉａｔｉｏｎ ｄｕｒａｔｉｏｎ)のうち少なくともいずれか一つを含み、
前記条件に関する前記情報は、該当条件に関する番号を含む、請求項１に記載の方法。
【請求項４】
前記情報は、前記セカンダリＲＡＴシステムのアクセスポイント(ＡＰ)の優先順位と、選好情報とを含むスキャニング情報をさらに含み、
前記選好情報は、利用可能なＡＰ、選好されるＡＰまたは個人ＡＰを含む、請求項１に記載の方法。
【請求項５】
前記優先順位は、各ＡＰの負荷、データ量及びサービスセットにより決定される、請求項４に記載の方法。
【請求項６】
前記情報は、条件が設定、変更または解除されたかどうかを含む構成をさらに含む、請求項１に記載の方法。
【請求項７】
前記情報は、トリガ条件交渉要求メッセージ、トリガ条件交渉応答メッセージ、トリガ条件構成を含む無線リソース制御（ＲＲＣ）メッセージ、測定構成、無線リソースベアラ構成、前記プライマリＲＡＴシステムの接続解除、または測定報告メッセージのうちいずれか一つを介して取得される、請求項１に記載の方法。
【請求項８】
前記端末に対して前記閾値を有する前記情報を取得した後、前記セカンダリＲＡＴシステムに対するスキャニング動作を実行することをさらに含み、
前記閾値を有する前記情報は、前記スキャニング動作を指示する指示子を含む、請求項１に記載の方法。
【請求項９】
前記セカンダリＲＡＴシステムの連結されたＡＰに関する測定結果を報告することをさらに含む、請求項１に記載の方法。
【請求項１０】
前記閾値と前記測定結果とを満たす前記条件に関する前記情報をプライマリＲＡＴシステムエンティティに報告することと、
前記条件が変更される場合、一つのコードが前記アクションを直接実行するように指示するか、または他のコードが前記条件を報告するように指示するかを含むアクションコードを受信することとをさらに含み、
前記プライマリＲＡＴシステムエンティティは、ｅＮｏｄｅＢ（ｅＮＢ）、移動管理エンティティ（ＭＭＥ）または新しいエンティティのうちいずれか一つである、請求項１に記載の方法。
【請求項１１】
前記プライマリＲＡＴシステムは、第３世代パートナーシッププロジェクト（３ＧＰＰ） ロングタームエボリューション（ＬＴＥ）システムであり、
前記セカンダリＲＡＴシステムは、米国電気電子学会（ＩＥＥＥ）８０２.１１システムである、請求項１に記載の方法。
【請求項１２】
無線通信システムにおいて干渉除去を実行する無線装置であって、
無線信号を送信または受信する無線周波数（ＲＦ）部と、
前記ＲＦ部と動作的に連結されているプロセッサとを含み、前記プロセッサは、
セカンダリ無線アクセス技術（ＲＡＴ）システムに対して構成されるアクションの閾値を含む情報を取得し、
前記閾値によりトリガされる条件と前記セカンダリＲＡＴシステムの測定結果とを確認し、
前記条件に従って該当アクションを実行するように構成され、
前記セカンダリＲＡＴシステムは、ユーザ平面(Ｕ−ｐｌａｎｅ)データのために使われ、前記閾値は、プライマリＲＡＴシステムまたは前記セカンダリＲＡＴシステムを含むネットワーク選好、サービス品質（ＱｏＳ）情報及びベアラ情報のうち少なくともいずれか一つにより変更される、無線装置。
【請求項１３】
前記プロセッサは、
前記情報を決定するように構成され、
前記情報はさらに前記アクションに関する情報を含み、
前記アクションに関する前記情報は、前記セカンダリＲＡＴシステムと連結が設定されたかどうか、前記セカンダリＲＡＴシステムに対するスキャニングが一時中断されたかどうか、及びデータ送信のための前記プライマリＲＡＴシステムと前記セカンダリＲＡＴシステムとの間の遷移方向が設定されたかどうかを含み、
前記アクションに関する前記情報は、該当アクションに関する番号を含み、
前記条件に関する情報は、トリガリング閾値、期間を含み、
前記期間は、条件満足期間、スリープモード遷移期間及び連結解除期間のうち少なくともいずれか一つを含み、
前記条件に関する情報は、該当条件に関する番号を含み、
スキャニング情報は、前記セカンダリＲＡＴシステムのアクセスポイント(ＡＰ)の優先順位と、利用可能なＡＰ、選好されるＡＰまたは個人ＡＰを含む選好情報とを含み、
前記優先順位は、各ＡＰの負荷及びサービスセットにより決定され、
構成は、条件が設定、変更または解除されたかどうかを含む、請求項１２に記載の無線装置。
【請求項１４】
前記プロセッサは、
前記情報を決定するように構成され、
前記情報は、トリガ条件交渉要求メッセージ、トリガ条件交渉応答メッセージ、トリガ条件構成を含む無線リソース制御（ＲＲＣ）メッセージ、測定構成、無線リソースベアラ構成、前記プライマリＲＡＴシステムの接続解除または測定報告メッセージのうちいずれか一つを介して取得される、請求項１２に記載の無線装置。
【請求項１５】
前記プロセッサは、
前記閾値と前記測定結果とを満たす前記条件に関する前記情報をプライマリＲＡＴシステムエンティティに報告し、
前記条件が変更される場合、一つのコードが前記アクションを直接実行するように指示するか、または他のコードが前記条件を報告するように指示するかを含むアクションコードを受信するように構成され、
前記プライマリＲＡＴシステムエンティティは、ｅＮｏｄｅＢ（ｅＮＢ）、移動管理エンティティ（ＭＭＥ）または新しいエンティティのうちいずれか一つである、請求項１２に記載の無線装置。
【発明の詳細な説明】
【技術分野】
【０００１】
本発明は、無線通信に関し、より詳しくは、無線通信システムにおけるデータ送信を実行する方法及び装置に関する。
【背景技術】
【０００２】
最近、高速データトラフィックが増加するにつれて、これを現実的に及び効果的に支援することができる第５世代移動通信技術に関する議論が進行している。第５世代移動通信技術の要求事項の一つは異種無線通信システム間の連動、特に、セルラシステムと無線ＬＡＮ(ＷＬＡＮ；ｗｉｒｅｌｅｓｓ ｌｏｃａｌ ａｒｅａ ｎｅｔｗｏｒｋ)システムとの間の連動である。セルラシステムは、３ＧＰＰ(３ｒｄ ｇｅｎｅｒａｔｉｏｎ ｐａｒｔｎｅｒｓｈｉｐ ｐｒｏｊｅｃｔ)ＬＴＥ(ｌｏｎｇ−ｔｅｒｍ ｅｖｏｌｕｔｉｏｎ)、３ＧＰＰ ＬＴＥ−Ａ(ａｄｖａｎｃｅｄ)、ＩＥＥＥ(ｉｎｓｔｉｔｕｔｅ ｏｆ ｅｌｅｃｔｒｉｃａｌ ａｎｄ ｅｌｅｃｔｒｏｎｉｃｓ ｅｎｇｉｎｅｅｒｓ)８０２.１６(ＷｉＭａｘ、ＷｉＢｒｏ)のうちいずれか一つである。ＷＬＡＮシステムは、ＩＥＥＥ８０２.１１(Ｗｉ−Ｆｉ)である。特に、ＷＬＡＮは、現在非常に多様な端末で一般的に利用される無線通信システムであるため、セルラ−ＷＬＡＮ連動は、優先順位が高い融合技術のうちの一つである。セルラ−ＷＬＡＮ連動によるオフローディング(ｏｆｆｌｏａｄｉｎｇ)は、セルラシステムのカバレッジと容量を増加させることができる。
【０００３】
ユビキタス環境の到来によって、装置を利用していつでもどこでもシームレスサービスの提供を受けようとする需要が急速に増加している。常にアクセスが容易でどこでも効率的な性能を維持することができるように、第５世代移動通信システムは、複数のＲＡＴ(ｒａｄｉｏ ａｃｃｅｓｓ ｔｅｃｈｎｏｌｏｇｙ)を使用することができる。即ち、第５世代移動通信システムは、異種無線通信システム間の連動を介して複数のＲＡＴを融合して使用することができる。言い換えると、第５世代移動通信システムを構成する複数のＲＡＴの各エンティティは互いに情報を交換することができ、それによって、第５世代移動通信システム内のユーザに最適の通信システムを提供することができる。第５世代移動通信システムを構成する複数のＲＡＴのうち、特定ＲＡＴはプライマリ(ｐｒｉｍａｒｙ)ＲＡＴシステムとして動作でき、他の特定ＲＡＴはセカンダリ(ｓｅｃｏｎｄａｒｙ)ＲＡＴシステムとして動作できる。即ち、プライマリＲＡＴシステムは、第５世代移動通信システム内のユーザに主に通信システムを提供する役割をし、セカンダリＲＡＴシステムは、プライマリＲＡＴシステムを補助する役割をすることができる。
【０００４】
一般的に、カバレッジが比較的広い３ＧＰＰ ＬＴＥ(−Ａ)またはＩＥＥＥ８０２.１６などのセルラシステムがプライマリＲＡＴシステムであり、カバレッジが比較的狭いＷｉ−ＦｉシステムがセカンダリＲＡＴシステムである。
【０００５】
一般的に、セルラシステムとＷＬＡＮシステムの連動システムにおいて、プライマリＲＡＴシステム(例えば、セルラシステム)だけでなく、セカンダリＲＡＴシステム(例えば、Ｗｉ−Ｆｉシステム)を介して送/受信される全てのデータフローは、ＬＭＡ(ｌｏｃａｌ ｍｏｂｉｌｉｔｙ ａｎｃｈｏｒ)として動作する装置により制御されることができる。Ｗｉ−Ｆｉシステムのセッションが既に存在する時、同時送信のためのセルラシステムのセッションを設定する方法が要求されることができる。
【発明の概要】
【発明が解決しようとする課題】
【０００６】
本発明は、無線通信システムにおいて、データ送信を実行する方法及び装置を提供する。
【０００７】
本発明は、無線通信システムにおいて、データに対して高速遷移を実行する方法及び装置を提供する。
【課題を解決するための手段】
【０００８】
一態様において、無線通信システムにおいてデータ送信を実行する方法が提供される。前記方法は、セカンダリ無線アクセス技術（ＲＡＴ）システムに対して構成されるアクションの閾値を含む情報を取得することと、前記閾値によりトリガされる条件と前記セカンダリＲＡＴシステムの測定結果とを確認することと、前記条件に従って該当アクションを実行することとを含み、前記セカンダリＲＡＴシステムは、ユーザ平面(Ｕ−ｐｌａｎｅ)データのために使われ、前記閾値は、プライマリＲＡＴシステムまたは前記セカンダリＲＡＴシステムを含むネットワーク選好、サービス品質（ＱｏＳ）情報及びベアラ情報のうち少なくともいずれか一つにより変更される。
【０００９】
他の態様において、無線通信システムにおいてデータ送信を実行する無線装置が提供される。無線装置は、無線信号を送信または受信する無線周波数（ＲＦ）部と、前記ＲＦ部と動作的に連結されるプロセッサとを含み、前記プロセッサは、セカンダリ無線アクセス技術（ＲＡＴ）システムに対して構成されるアクションの閾値を含む情報を取得し、前記閾値によりトリガされる条件と前記セカンダリＲＡＴシステムの測定結果とを確認し、前記条件に従って該当アクションを実行するように構成され、前記セカンダリＲＡＴシステムは、ユーザ平面(Ｕ−ｐｌａｎｅ)データのために使われ、前記閾値は、プライマリＲＡＴシステムまたは前記セカンダリＲＡＴシステムを含むネットワーク選好、サービス品質（ＱｏＳ）情報及びベアラ情報のうち少なくともいずれか一つにより変更される。
【発明の効果】
【００１０】
提案された実施例は、動的セルラデータフローセッションで効率的なデータ及び制御情報送信をサポートする。特に、提案された実施例は、端末特定閾値とデータ特定閾値とネットワーク選好情報とを含むより高速な遷移のための様々なパラメータと、セルラとＷｉ−Ｆｉ環境とを有するそれぞれの連動システムで定義された、アクションの様々なパラメータとをサポートする。
【図面の簡単な説明】
【００１１】
【図１】本発明が適用される無線通信システムを示す。
【図２】本発明が適用される無線フレーム(ｒａｄｉｏ ｆｒａｍｅ)の構造を示す。
【図３】本発明が適用される無線ＬＡＮ(ＷＬＡＮ；ｗｉｒｅｌｅｓｓ ｌｏｃａｌ ａｒｅａ ｎｅｔｗｏｒｋ)システムを示す。
【図４】本発明が適用されるＷＬＡＮシステムのフレーム構造の一例を示す。
【図５】セルラシステムとＷｉ−Ｆｉシステムが融合された通信システムのシナリオの一例を示す。
【図６】セルラシステムとＷｉ−Ｆｉシステムの融合通信システムでＩＰフロー移動性の一例を示す。
【図７】セルラシステムとＷｉ−Ｆｉシステムの融合通信システムでＩＰフロー移動性の他の例を示す。
【図８】本発明が適用される事前−(再)連結(ｐｒｅ−(ｒｅ)ａｓｓｏｃｉａｔｉｏｎ)手順の一例を示す。
【図９】ユーザ加入情報を利用した事業者費用減少ポリシーの一例を示す。
【図１０】本発明が適用されるより高速な遷移(ｆａｓｔｅｒ ｔｒａｎｓｉｔｉｏｎ)手順の一例を示す。
【図１１】本発明が適用されるより高速な遷移(ｆａｓｔｅｒ ｔｒａｎｓｉｔｉｏｎ)手順の一例を示す。
【図１２】本発明が適用される端末の状態の一例を示す。
【図１３】本発明が適用されるアクション及び条件に従って相応する動作を実行するためのフローチャートを示す。
【図１４】本発明の代表的な実施例に従った無線通信システムのブロック図を示す。
【発明を実施するための形態】
【００１２】
以下の技術は、ＣＤＭＡ(ｃｏｄｅ ｄｉｖｉｓｉｏｎ ｍｕｌｔｉｐｌｅ ａｃｃｅｓｓ)、ＦＤＭＡ(ｆｒｅｑｕｅｎｃｙ ｄｉｖｉｓｉｏｎ ｍｕｌｔｉｐｌｅ ａｃｃｅｓｓ)、ＴＤＭＡ(ｔｉｍｅ ｄｉｖｉｓｉｏｎ ｍｕｌｔｉｐｌｅ ａｃｃｅｓｓ)、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)などのような多様な無線通信システムに使われることができる。ＣＤＭＡは、ＵＴＲＡ(ｕｎｉｖｅｒｓａｌ ｔｅｒｒｅｓｔｒｉａｌ ｒａｄｉｏ ａｃｃｅｓｓ)やＣＤＭＡ２０００のような無線技術(ｒａｄｉｏ ｔｅｃｈｎｏｌｏｇｙ)で実現されることができる。ＴＤＭＡは、ＧＳＭ(ｇｌｏｂａｌ ｓｙｓｔｅｍ ｆｏｒ ｍｏｂｉｌｅ ｃｏｍｍｕｎｉｃａｔｉｏｎｓ)/ＧＰＲＳ(ｇｅｎｅｒａｌ ｐａｃｋｅｔ ｒａｄｉｏ ｓｅｒｖｉｃｅ)/ＥＤＧＥ(ｅｎｈａｎｃｅｄ ｄａｔａ ｒａｔｅｓ ｆｏｒ ＧＳＭ ｅｖｏｌｕｔｉｏｎ)のような無線技術で実現されることができる。ＯＦＤＭＡは、ＩＥＥＥ(ｉｎｓｔｉｔｕｔｅ ｏｆ ｅｌｅｃｔｒｉｃａｌ ａｎｄ ｅｌｅｃｔｒｏｎｉｃｓ ｅｎｇｉｎｅｅｒｓ)８０２.１１(Ｗｉ−Ｆｉ)、ＩＥＥＥ８０２.１６(ＷｉＭＡＸ)、ＩＥＥＥ８０２−２０、Ｅ−ＵＴＲＡ(ｅｖｏｌｖｅｄ ＵＴＲＡ)などのような無線技術で実現されることができる。ＩＥＥＥ８０２.１６ｍは、ＩＥＥＥ８０２.１６ｅの進化したものであり、ＩＥＥＥ８０２.１６ｅに基づくシステムとの後方互換性(ｂａｃｋｗａｒｄ ｃｏｍｐａｔｉｂｉｌｉｔｙ)を提供する。ＵＴＲＡは、ＵＭＴＳ(ｕｎｉｖｅｒｓａｌ ｍｏｂｉｌｅ ｔｅｌｅｃｏｍｍｕｎｉｃａｔｉｏｎｓ ｓｙｓｔｅｍ)の一部である。３ＧＰＰ(３ｒｄ ｇｅｎｅｒａｔｉｏｎ ｐａｒｔｎｅｒｓｈｉｐ ｐｒｏｊｅｃｔ)ＬＴＥ(ｌｏｎｇ ｔｅｒｍ ｅｖｏｌｕｔｉｏｎ)は、Ｅ−ＵＴＲＡ(ｅｖｏｌｖｅｄ−ＵＭＴＳ ｔｅｒｒｅｓｔｒｉａｌ ｒａｄｉｏ ａｃｃｅｓｓ)を使用するＥ−ＵＭＴＳ(ｅｖｏｌｖｅｄ ＵＭＴＳ)の一部であり、ダウンリンクでＯＦＤＭＡを採用し、アップリンクでＳＣ−ＦＤＭＡを採用する。ＬＴＥ−Ａ(ａｄｖａｎｃｅｄ)は、３ＧＰＰ ＬＴＥの進化したものである。
【００１３】
説明を明確にするために、３ＧＰＰ ＬＴＥ(−Ａ)及びＩＥＥＥ８０２.１１を中心に記述するが、本発明の技術的思想がこれに制限されるものではない。
【００１４】
図１は、本発明が適用される無線通信システムを示す。
【００１５】
セルラシステム１０は、少なくとも一つの基地局(ｂａｓｅ ｓｔａｔｉｏｎ、ＢＳ)１１を含む。各基地局１１は、特定の地理的領域(一般的にセルという)１５ａ、１５ｂ、１５ｃに対して通信サービスを提供する。また、セルは、多数の領域(セクターという)に分けられる。端末(ｕｓｅｒ ｅｑｕｉｐｍｅｎｔ、ＵＥ)１２は、固定されてもよいし、移動性を有してもよく、ＭＳ(ｍｏｂｉｌｅ ｓｔａｔｉｏｎ)、ＭＴ(ｍｏｂｉｌｅ ｔｅｒｍｉｎａｌ)、ＵＴ(ｕｓｅｒ ｔｅｒｍｉｎａｌ)、ＳＳ(ｓｕｂｓｃｒｉｂｅｒ ｓｔａｔｉｏｎ)、無線機器(ｗｉｒｅｌｅｓｓ ｄｅｖｉｃｅ)、ＰＤＡ(ｐｅｒｓｏｎａｌ ｄｉｇｉｔａｌ ａｓｓｉｓｔａｎｔ)、無線モデム(ｗｉｒｅｌｅｓｓ ｍｏｄｅｍ)、携帯機器(ｈａｎｄｈｅｌｄ ｄｅｖｉｃｅ)等、他の用語で呼ばれることもある。基地局１１は、一般的に端末１２と通信する固定局(ｆｉｘｅｄ ｓｔａｔｉｏｎ)を意味し、ｅＮＢ(ｅｖｏｌｖｅｄ−ＮｏｄｅＢ)、ＢＴＳ(ｂａｓｅ ｔｒａｎｓｃｅｉｖｅｒ ｓｙｓｔｅｍ)、アクセスポイント(ａｃｃｅｓｓ ｐｏｉｎｔ)等、他の用語で呼ばれることもある。
【００１６】
端末は、通常一つのセルに属し、端末が属するセルをサービングセル(ｓｅｒｖｉｎｇ ｃｅｌｌ)という。サービングセルに対して通信サービスを提供する基地局をサービング基地局(ｓｅｒｖｉｎｇ ＢＳ)という。サービングセルに隣接する他のセルが存在する。サービングセルに隣接する他のセルを隣接セル(ｎｅｉｇｈｂｏｒ ｃｅｌｌ)という。隣接セルに対して通信サービスを提供する基地局を隣接基地局(ｎｅｉｇｈｂｏｒ ＢＳ)という。サービングセル及び隣接セルは、端末を基準にして相対的に決定される。
【００１７】
この技術は、ダウンリンク(ＤＬ；ｄｏｗｎｌｉｎｋ)またはアップリンク(ＵＬ；ｕｐｌｉｎｋ)に使われることができる。一般的に、ダウンリンクは基地局１１から端末１２への通信を意味し、アップリンクは端末１２から基地局１１への通信を意味する。ダウンリンクにおいて、送信機は基地局１１の一部分であり、受信機は端末１２の一部分である。アップリンクにおいて、送信機は端末１２の一部分であり、受信機は基地局１１の一部分である。
【００１８】
図２は、本発明が適用される無線フレーム(ｒａｄｉｏ ｆｒａｍｅ)の構造を示す。
【００１９】
図２を参照すると、無線フレームは、１０個のサブフレーム(ｓｕｂｆｒａｍｅ)で構成され、一つのサブフレームは、２個のスロット(ｓｌｏｔ)で構成される。無線フレーム内のスロットには＃０〜＃１９のスロット番号が付けられる。ＴＴＩ(ｔｒａｎｓｍｉｓｓｉｏｎ ｔｉｍｅ ｉｎｔｅｒｖａｌ)は、データ送信のための基本スケジューリング単位である。３ＧＰＰ ＬＴＥにおいて、一つのＴＴＩは、一つのサブフレームの送信にかかる時間と同じである。一つの無線フレームの長さは１０ｍｓであり、一つのサブフレームの長さは１ｍｓであり、一つのスロットの長さは０.５ｍｓである。
【００２０】
一つのスロットは、時間領域(ｔｉｍｅ ｄｏｍａｉｎ)で複数のＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)シンボルを含み、周波数領域で複数の副搬送波を含む。ＯＦＤＭシンボルは、３ＧＰＰ ＬＴＥがダウンリンクでＯＦＤＭＡを使用するため、一つのシンボル区間(ｓｙｍｂｏｌ ｐｅｒｉｏｄ)を表現するためのものであり、マルチアクセス方式によって他の名称で呼ばれることもある。例えば、アップリンクマルチアクセス方式としてＳＣ−ＦＤＭＡが使われる場合、ＳＣ−ＦＤＭＡシンボルという。リソースブロック(ＲＢ；ｒｅｓｏｕｒｃｅ ｂｌｏｃｋ)は、リソース割当単位であり、一つのスロットで複数の連続する副搬送波を含む。前記無線フレームの構造は、一例に過ぎない。したがって、無線フレームに含まれるサブフレームの個数やサブフレームに含まれるスロットの個数、またはスロットに含まれるＯＦＤＭシンボルの個数は多様に変更されることができる。３ＧＰＰ ＬＴＥは、ノーマル(ｎｏｒｍａｌ)サイクリックプレフィックス(ＣＰ；ｃｙｃｌｉｃ ｐｒｅｆｉｘ)で、一つのスロットは７個のＯＦＤＭシンボルを含み、拡張(ｅｘｔｅｎｄｅｄ)ＣＰで、一つのスロットは６個のＯＦＤＭシンボルを含むと定義している。
【００２１】
図３は、本発明が適用される無線ＬＡＮ(ＷＬＡＮ；ｗｉｒｅｌｅｓｓ ｌｏｃａｌ ａｒｅａ ｎｅｔｗｏｒｋ)システムを示す。ＷＬＡＮシステムは、Ｗｉ−Ｆｉシステムとも呼ばれる。
【００２２】
図３を参照すると、ＷＬＡＮシステムは、一つのＡＰ(ａｃｃｅｓｓ ｐｏｉｎｔ)２０及び複数のステーション(ＳＴＡ；ｓｔａｔｉｏｎ)３１、３２、３３、３４、４０を含む。ＡＰ２０は、各ＳＴＡ３１、３２、３３、３４、４０と連結されて、それぞれと通信できる。ＷＬＡＮシステムは、一つまたはそれ以上の基本サービスセット(ＢＳＳ；ｂａｓｉｃ ｓｅｒｖｉｃｅ ｓｅｔ)を含む。ＢＳＳは、互いにうまく同期され、かつ互いに通信できるＳＴＡのセットであり、特定領域を意味するものではない。
【００２３】
インフラストラクチャ(ｉｎｆｒａｓｔｒｕｃｔｕｒｅ)ＢＳＳは、一つまたはそれ以上の非ＡＰステーション(ｎｏｎ−ＡＰ ＳＴＡ)、分散サービス(ｄｉｓｔｒｉｂｕｔｉｏｎ ｓｅｒｖｉｃｅ)を提供するＡＰ(ａｃｃｅｓｓ ｐｏｉｎｔ)、及び多数のＡＰを連結させる分散システム(ＤＳ；ｄｉｓｔｒｉｂｕｔｉｏｎ ｓｙｓｔｅｍ)を含む。インフラストラクチャＢＳＳでは、ＡＰがＢＳＳの非ＡＰ ＳＴＡを管理する。したがって、図３のＷＬＡＮシステムは、インフラストラクチャＢＳＳを含むということができる。それに対し、独立ＢＳＳ(ＩＢＳＳ；ｉｎｄｅｐｅｎｄｅｎｔ ＢＳＳ)は、アドホック(ａｄ−ｈｏｃ)モードで動作するＢＳＳである。ＩＢＳＳは、ＡＰを含まないため、中央で管理機能を遂行するエンティティ(ｃｅｎｔｒａｌｉｚｅｄ ｍａｎａｇｅｍｅｎｔ ｅｎｔｉｔｙ)がない。即ち、ＩＢＳＳでは、非ＡＰ ＳＴＡが分散された方式(ｄｉｓｔｒｉｂｕｔｅｄ ｍａｎｎｅｒ)で管理される。ＩＢＳＳでは、全てのＳＴＡが移動ＳＴＡからなることができ、分散システムへのアクセスが許容されず、このため自己完備的ネットワーク(ｓｅｌｆ−ｃｏｎｔａｉｎｅｄ ｎｅｔｗｏｒｋ)を構築する。 ＳＴＡは、無線媒体のための物理階層(ｐｈｙｓｉｃａｌ ｌａｙｅｒ)インターフェースとＩＥＥＥ８０２.１１標準の規定に従うＭＡＣ(ｍｅｄｉａ ａｃｃｅｓｓ ｃｏｎｔｒｏｌ)とを含む任意の機能媒体であり、より広い意味で、ＡＰと非ＡＰステーションを両方とも含む。
【００２４】
非ＡＰ ＳＴＡは、ＡＰでないＳＴＡであり、移動端末(ｍｏｂｉｌｅ ｔｅｒｍｉｎａｌ)、無線機器(ｗｉｒｅｌｅｓｓ ｄｅｖｉｃｅ)、無線送受信ユニット(ＷＴＲＵ；ｗｉｒｅｌｅｓｓ ｔｒａｎｓｍｉｔ/ｒｅｃｅｉｖｅ ｕｎｉｔ)、端末(ＵＥ；ｕｓｅｒ ｅｑｕｉｐｍｅｎｔ)、移動局(ＭＳ；ｍｏｂｉｌｅ ｓｔａｔｉｏｎ)、移動加入者ユニット(ｍｏｂｉｌｅ ｓｕｂｓｃｒｉｂｅｒ ｕｎｉｔ)または単にユーザ(ｕｓｅｒ)などの他の名称で呼ばれることもある。以下、説明の便宜のために、非ＡＰ ＳＴＡをＳＴＡという。
【００２５】
ＡＰは、該当ＡＰに結合された(ａｓｓｏｃｉａｔｅｄ)ＳＴＡのために無線媒体を経由して分散システムに対するアクセスを提供する機能エンティティである。ＡＰを含むインフラストラクチャＢＳＳにおいて、ＳＴＡ間の通信はＡＰを経由して行われることが原則であるが、直接リンク(ｄｉｒｅｃｔ ｌｉｎｋ)が設定された場合にはＳＴＡ間でも直接通信が可能である。ＡＰは、集中制御器(ｃｅｎｔｒａｌ ｃｏｎｔｒｏｌｌｅｒ)、基地局(ＢＳ；ｂａｓｅ ｓｔａｔｉｏｎ)、ＮｏｄｅＢ、ＢＴＳ(ｂａｓｅ ｔｒａｎｓｃｅｉｖｅｒ ｓｙｓｔｅｍ)、またはサイト制御器などとも呼ばれる。
【００２６】
複数のインフラストラクチャＢＳＳは、分散システムを介して相互連結されることができる。分散システムを介して連結された複数のＢＳＳを拡張サービスセット(ＥＳＳ；ｅｘｔｅｎｄｅｄ ｓｅｒｖｉｃｅ ｓｅｔ)という。ＥＳＳに含まれるＡＰ及び/またはＳＴＡは、互いに通信することができ、同じＥＳＳで、ＳＴＡは、シームレス通信しながら、一つのＢＳＳから他のＢＳＳに移動できる。
【００２７】
図４は、本発明が適用されるＷＬＡＮシステムのフレーム構造の一例を示す。ＷＬＡＮシステムのフレームは、順序が固定されたフィールドのセットを含む。
【００２８】
図４を参照すると、フレームは、フレーム制御(ｆｒａｍｅ ｃｏｎｔｒｏｌ)フィールド、持続(ｄｕｒａｔｉｏｎ)/ＩＤ(ｉｄｅｎｔｉｆｉｅｒ)フィールド、アドレス(ａｄｄｒｅｓｓ)１フィールド、アドレス２フィールド、アドレス３フィールド、シーケンス制御(ｓｅｑｕｅｎｃｅ ｃｏｎｔｒｏｌ)フィールド、アドレス４フィールド、ＱｏＳ(ｑｕａｌｉｔｙ ｏｆ ｓｅｒｖｉｃｅ)制御フィールド、ＨＴ(ｈｉｇｈ ｔｈｒｏｕｇｈｐｕｔ)制御フィールド、フレームボディ(ｆｒａｍｅ ｂｏｄｙ)フィールド及びフレームチェックシーケンス(ＦＣＳ；ｆｒａｍｅ ｃｈｅｃｋ ｓｅｑｕｅｎｃｅ)フィールドを含む。前記列挙されたフィールドのうち、フレーム制御フィールド、持続/ＩＤフィールド、アドレス１フィールド及びＦＣＳフィールドは、最小限のＩＥＥＥ８０２.１１フレームフォーマットを構成し、全てのＩＥＥＥ８０２.１１フレーム内に含まれることができる。アドレス２フィールド、アドレス３フィールド、シーケンス制御フィールド、アドレス４フィールド、ＱｏＳ制御フィールド、ＨＴ制御フィールド及びフレームボディフィールドは、特定フレームタイプにのみ含まれることができる。
【００２９】
フレーム制御フィールドは、多様なサブフィールド(ｓｕｂｆｉｅｌｄ)を含むことができる。持続/ＩＤフィールドの長さは１６ビットである。アドレスフィールドは、基本サービスセット識別子(ＢＳＳＩＤ；ｂａｓｉｃ ｓｅｒｖｉｃｅ ｓｅｔ ｉｄｅｎｔｉｆｉｅｒ)、ソースアドレス(ＳＡ；ｓｏｕｒｃｅ ａｄｄｒｅｓｓ)、宛先アドレス(ＤＡ；ｄｅｓｔｉｎａｔｉｏｎ ａｄｄｒｅｓｓ)、送信ＳＴＡアドレス(ＴＡ；ｔｒａｎｓｍｉｔｔｉｎｇ ＳＴＡ ａｄｄｒｅｓｓ)及び受信ＳＴＡアドレス(ＲＡ；ｒｅｃｅｉｖｉｎｇ ＳＴＡ ａｄｄｒｅｓｓ)を含むことができる。アドレスフィールドは、互いに異なるフィールドがフレームタイプに従って他の目的として使われることができる。シーケンス制御フィールドは、フラグメントを再組立てする時と重複フレームを捨てる時に使われることができる。シーケンス制御フィールドは、１６ビットであって、シーケンス番号(ｓｅｑｕｅｎｃｅ ｎｕｍｂｅｒ)及びフラグメント番号(ｆｒａｇｍｅｎｔ ｎｕｍｂｅｒ)を示す２個のサブフィールドを含むことができる。ＦＣＳフィールドは、ステーションが受信されたフレームの欠陥を検査するために使われることができる。ＦＣＳフィールドは、３２ビットのＣＲＣ(ｃｙｃｌｉｃ ｒｅｄｕｎｄａｎｃｙ ｃｈｅｃｋ)を含む３２ビットのフィールドである。ＦＣＳは、ＭＡＣ(ｍｅｄｉａ ａｃｃｅｓｓ ｃｏｎｔｒｏｌ)ヘッダの全てのフィールド及びフレームボディフィールドにわたって計算されることができる。
【００３０】
フレームボディフィールドは、個別フレームタイプとサブタイプに特定された情報を含むことができる。即ち、フレームボディフィールドは、ステーションからステーションへ上位レベルのデータを伝送する。フレームボディフィールドは、データフィールドとも呼ばれる。フレームボディフィールドの長さは多様に変化させることができる。フレームボディフィールドの最小長は、０オクテット(ｏｃｔｅｔ)である。フレームボディフィールドの最大長は、ＭＳＤＵ(ＭＡＣ ｓｅｒｖｉｃｅ ｄａｔａ ｕｎｉｔ)の最大長、メッシュ制御(ｍｅｓｈ ｃｏｎｔｒｏｌ)フィールドの長さ及び暗号化のためのオーバーヘッド(ｏｖｅｒｈｅａｄ)の総和またはＡ−ＭＳＤＵ(ａｇｇｒｅｇａｔｅｄ ＭＳＤＵ)の最大長及び暗号化のためのオーバーヘッドの総和により決定されることができる。データフレームは、フレームボディフィールドの上位レベルプロトコルデータを含む。データフレームは、フレーム制御フィールド、持続/ＩＤフィールド、アドレス１フィールド、アドレス２フィールド、アドレス３フィールド、シーケンス制御フィールド、フレームボディフィールド及びＦＣＳフィールドを常に含むことができる。アドレス４フィールドの存在可否は、フレーム制御フィールド内のＴｏ ＤＳサブフィールドとＦｒｏｍ ＤＳサブフィールドの設定により決定されることができる。他のデータフレームタイプは、機能に従って分類されることができる。
【００３１】
管理フレーム(ｍａｎａｇｅｍｅｎｔ ｆｒａｍｅ)は、フレーム制御フィールド、持続/ＩＤフィールド、アドレス１フィールド、アドレス２フィールド、アドレス３フィールド、シーケンス制御フィールド、フレームボディフィールド及びＦＣＳフィールドを常に含むことができる。フレームボディフィールドに含まれているデータは、一般的に固定フィールドという固定長フィールドと情報要素という可変長フィールドを使用する。情報要素は、可変長のデータ単位である。
【００３２】
管理フレームは、サブタイプに従って多様な用途に使われることができる。即ち、互いに異なるサブタイプのフレームボディフィールドは、互いに異なる情報を含む。ビーコン(ｂｅａｃｏｎ)フレームは、ネットワークの存在を知らせ、ネットワークメンテナンスの重要な役割を担当する。ビーコンフレームは、モバイルステーションがネットワークに参加することを可能とするパラメータに対応する。また、ビーコンフレームは、モバイルステーションがネットワークを検索して認識することができるように周期的に送信される。プローブ要求(ｐｒｏｂｅ ｒｅｑｕｅｓｔ)フレームは、モバイルステーションが存在するネットワークを検索(ｓｃａｎ)するために使われる。プローブ応答(ｐｒｏｂｅ ｒｅｓｐｏｎｓｅ)フレームは、プローブ要求フレームに対する応答である。認証要求(ａｕｔｈｅｎｔｉｃａｔｉｏｎ ｒｅｑｕｅｓｔ)フレームは、モバイルステーションがアクセスポイントに認証要求をするために使われる。認証応答(ａｕｔｈｅｎｔｉｃａｔｉｏｎ ｒｅｓｐｏｎｓｅ)フレームは、認証要求フレームに対する応答である。認証解除(ｄｅ−ａｕｔｈｅｎｔｉｃａｔｉｏｎ)フレームは、認証関係を終了させるために使われる。結合要求(ａｓｓｏｃｉａｔｉｏｎ ｒｅｑｕｅｓｔ)フレームは、互換ネットワークを認識し、認証を受けたモバイルステーションがネットワークに参加するために送信される。結合応答(ａｓｓｏｃｉａｔｉｏｎ ｒｅｓｐｏｎｓｅ)フレームは、結合要求フレームに対する応答である。結合解除(ｄｅ−ａｓｓｏｃｉａｔｉｏｎ)フレームは、結合関係を終了するために使われる。表１のように、認証及び結合手順に従って三つの状態(ｓｔａｔｅ)が存在できる。
【００３３】
【表１】
2016524355.tif 000003
【００３４】
データフレームを送信するために、装置は、ネットワークについて認証及び結合手順を実行しなければならない。表１の状態１から状態２に移行する手順を認証手順という。認証手順は、ある装置が他の装置の情報を取得し、前記他の装置と認証することによって実行されることができる。他の装置の情報を取得するにあたって、ビーコンフレームを受信して他のノードの情報を取得する受動スキャニング(ｐａｓｓｉｖｅ ｓｃａｎｎｉｎｇ)方式と、プローブ要求メッセージを送信してその応答として受信されたプローブ応答メッセージを介して他の装置の情報を取得する能動スキャニング(ａｃｔｉｖｅ ｓｃａｎｎｉｎｇ)方式の二つの方式が存在する。認証手順は、二つの装置が認証要求フレームと認証応答フレームを交換することによって完了することができる。
【００３５】
表１の状態２から状態３に移行する手順を結合手順という。結合手順は、認証手順を完了した二つの装置が結合要求フレームと結合応答フレームを交換することによって完了することができる。結合手順によって結合ＩＤ(ａｓｓｏｃｉａｔｉｏｎ ＩＤ)が割り当てられることができる。
【００３６】
図５は、セルラシステムとＷｉ−Ｆｉシステムが融合された通信システムのシナリオの一例を示す。
【００３７】
図５において、セルラシステムは、融合通信システムのプライマリＲＡＴシステムとして動作し、Ｗｉ−Ｆｉシステムは、融合通信システムのセカンダリＲＡＴシステムとして動作すると仮定する。さらに、図５のセルラシステムは、３ＧＰＰ ＬＴＥ(−Ａ)である。以下の説明では、便宜上、融合通信システムのプライマリＲＡＴシステムは、３ＧＰＰ ＬＴＥ(−Ａ)、通信システムのセカンダリＲＡＴシステムは、ＩＥＥＥ８０２.１１、即ち、Ｗｉ−Ｆｉシステムであると仮定する。しかし、以下で説明する本発明の実施例は、これに制限されるものではない。
【００３８】
図５を参照すると、セルラ基地局５５０のカバレッジ内に複数の一般装置５６１、５６２、５６３、５６４、５６５が存在する。各一般装置５６１、５６２、５６３、５６４、５６５は、セルラシステムの端末である。セルラ基地局５５０は、セルラ無線インターフェースを介して各一般装置５６１、５６２、５６３、５６４、５６５と通信することができる。例えば、セルラ基地局５５０は、各一般装置５６１、５６２、５６３、５６４、５６５と音声電話通信を実行し、または各一般装置５６１、５６２、５６３、５６４、５６５のＷｉ−Ｆｉシステムに対するアクセスを制御することができる。
【００３９】
セルラ基地局５５０は、セルラシステムインターフェースを介してＳ−ＧＷ(ｓｅｒｖｉｎｇ ｇａｔｅｗａｙ)/ＭＭＥ(ｍｏｂｉｌｉｔｙ ｍａｎａｇｅｍｅｎｔ ｅｎｔｉｔｙ)５７０と接続される。ＭＭＥは、端末のアクセス情報や端末の能力に関する情報を有しており、このような情報は、端末の移動性管理に主に使われることができる。ＭＭＥは、制御平面の機能を担当する。Ｓ−ＧＷは、Ｅ−ＵＴＲＡＮを終端点として有するゲートウェイである。Ｓ−ＧＷは、ユーザ平面の機能を担当する。また、Ｓ−ＧＷ/ＭＭＥ５７０は、セルラシステムインターフェースを介してＰ−ＧＷ(ＰＤＮ(ｐａｃｋｅｔ ｄａｔａ ｎｅｔｗｏｒｋ) ｇａｔｅｗａｙ)５７１及びホーム加入者サーバ(ＨＳＳ；ｈｏｍｅ ｓｕｂｓｃｒｉｂｅｒ ｓｅｒｖｅｒ)５７２と接続される。ＰＤＮ−ＧＷは、ＰＤＮを終端点として有するゲートウェイである。
【００４０】
また、Ｐ−ＧＷ５７１及びＨＳＳ５７２は、セルラシステムインターフェースを介して３ＧＰＰ ＡＡＡ(ａｃｃｅｓｓ ａｕｔｈｅｎｔｉｃａｔｉｏｎ ａｕｔｈｏｒｉｚａｔｉｏｎ)サーバ５７３と接続される。Ｐ−ＧＷ５７１及び３ＧＰＰ ＡＡＡサーバ５７３は、セルラシステムインターフェースを介してｅ−ＰＤＧ(ｅｖｏｌｖｅｄ ｐａｃｋｅｔ ｄａｔａ ｇａｔｅｗａｙ)５７４と接続されることができる。ｅ−ＰＤＧ５７４は、信頼されない非３ＧＰＰアクセスにのみ含まれることができる。ｅ−ＰＤＧ５７４は、ＷＡＧ(ＷＬＡＮ ａｃｃｅｓｓ ｇａｔｅｗａｙ)５７５と接続されることができる。ＷＡＧ５７５は、Ｗｉ−ＦｉシステムでＰ−ＧＷの役割を担当することができる。
【００４１】
一方、セルラ基地局５５０のカバレッジ内に複数のＡＰ８１５、５８２、５８３が存在する。各ＡＰ５８１、５８２、５８３は、各々、セルラ基地局５０のカバレッジより小さいカバレッジを有することができる。各ＡＰ５８１、５８２、５８３は、Ｗｉ−Ｆｉ無線インターフェースを介して自分のカバレッジ内にある一般装置５６１、５６２、５６３と通信できる。言い換えると、一般装置５６１、５６２、５６３は、セルラ基地局５５０及び/またはＡＰ５８１、５８２、５８３と通信できる。一般装置５６１、５６２、５６３の通信方法は、下記の通りである。
【００４２】
１)セルラ/Ｗｉ−Ｆｉ同時無線送信：一般装置５６１は、セルラ無線インターフェースを介してセルラ基地局５５０と通信すると同時に、Ｗｉ−Ｆｉ無線インターフェースを介してＡＰ５８１と高速データ通信を実行することができる。
【００４３】
２)セルラ/Ｗｉ−Ｆｉユーザ平面自動転換：一般装置５６２は、ユーザ平面自動転換によりセルラ基地局５５０またはＡＰ５８２のうちいずれか一つと通信できる。このとき、制御平面は、セルラシステムとＷｉ−Ｆｉシステムの両方に存在することもできるし、またはセルラシステムにのみ存在することもできる。
【００４４】
３)端末協力送信：ソース装置として動作する一般装置５６４は、セルラ無線インターフェースを介してセルラ基地局５５０と直接的に通信し、または協力装置として動作する一般装置５６５を介してセルラ基地局５５０と間接的に通信できる。即ち、協力装置５６５は、ソース装置５６４が自分を介して間接的にセルラ基地局５５０と通信できるようにソース装置５６４をサポートすることができる。ソース装置５６４と協力装置５６５は、Ｗｉ−Ｆｉ無線インターフェースを介して通信する。
【００４５】
４)Ｗｉ−Ｆｉベースのセルラリンク制御メカニズム：ＡＰ５８３は、セルラ一般装置５６３に対してネットワークのページングまたは位置登録などのセルラリンク制御メカニズムを実行することができる。一般装置５６３は、セルラ基地局５５０と直接連結されず、ＡＰ５８３を介して間接的にセルラ基地局５５０と通信できる。
【００４６】
各ＡＰ５８１、５８２、５８３は、Ｗｉ−Ｆｉシステムインターフェースを介してＷＡＧ５７５と接続される。
【００４７】
一般的に、セルラシステムとＷＬＡＮシステムの連動システムにおいて、全てのデータフローは、複数のＲＡＴシステム(例えば、プライマリＲＡＴシステム、セカンダリＲＡＴシステム)を介して同時に送信及び/または受信されることができる。また、プライマリＲＡＴシステム(例えば、セルラシステム)だけでなく、セカンダリＲＡＴシステム(例えば、Ｗｉ−Ｆｉシステム)を介して送受信される全てのデータフローは、ＬＭＡ(ｌｏｃａｌ ｍｏｂｉｌｉｔｙ ａｎｃｈｏｒ)として動作する装置により制御されることができる。例えば、セルラシステムを介して送信されるデータとＷｉ−Ｆｉシステムを介して送信されるデータが常にＰ−ＧＷを経るようになる。即ち、図５において、ＬＭＡとして動作する装置は、Ｐ−ＧＷである。ただ、ＬＭＡは、ＰＭＩＰ(ｐｒｏｘｙ ｍｏｂｉｌｅ Ｉｎｔｅｒｎｅｔ ｐｒｏｔｏｃｏｌ)で使用する用語であって、他のプロトコルでは異なる用語、例えば、ホームエージェント(ＨＡ；ｈｏｍｅ ａｇｅｎｔ)とも呼ばれる。
【００４８】
セルラシステムとＷｉ−Ｆｉシステムの融合通信システムにおいて、データが複数のＲＡＴシステムを介して同時に送信される時、同時送信のためのシナリオは、同じデータフローのためのＵ−Ｐｌａｎｅ区分(ｓｅｐａｒａｔｉｏｎ)(または、帯域幅/Ｕ−ｐｌａｎｅアグリゲーション(ａｇｇｒｅｇａｔｉｏｎ))及び互いに異なるデータフローのためのＵ−Ｐｌａｎｅ区分(または、帯域幅/Ｕ−ｐｌａｎｅ分離(ｓｅｇｒｅｇａｔｉｏｎ))に分類されることができる。
【００４９】
図６は、セルラシステムとＷｉ−Ｆｉシステムの融合通信システムでＩＰフロー移動性の一例を示す。図６は、同じデータフローのためのＵ−Ｐｌａｎｅ区分、即ち、帯域幅/Ｕ−ｐｌａｎｅアグリゲーションを示す。
【００５０】
図６を参照すると、フロー１のためのＩＰパケットは、ＩＰパケット１、２及び３を含み、フロー２のためのＩＰパケットは、ＩＰパケット４、５、６及び７を含む。Ｐ−ＧＷは、ＰＤＮ１と接続され、ＬＭＡとして動作する。即ち、全てのＩＰパケットは、Ｐ−ＧＷを経て端末に送信される。フロー１のためのＩＰパケットにおいて、ＩＰパケット１は、ｅＰＤＧ及び/またはＷＡＧを経てＷｉ−Ｆｉシステムを介して端末に送信され、ＩＰパケット２及び３は、ＢＳを経てセルラシステムを介して端末に送信される。このとき、ｅＰＤＧまたはＷＡＧは、Ｗｉ−ＦｉシステムでのＭＡＧ(ｍｏｂｉｌｅ ａｃｃｅｓｓ ｇａｔｅｗａｙ)であり、ＢＳは、セルラシステムでのＭＡＧである。フロー２のためのＩＰパケットにおいて、ＩＰパケット５及び６は、ｅＰＤＧ及び/またはＷＡＧを経てＷｉ−Ｆｉシステムを介して端末に送信され、ＩＰパケット４及び７は、ＢＳを経てセルラシステムを介して端末に送信される。即ち、互いに異なるフローのためのＩＰパケットが互いにアグリゲーションされる。
【００５１】
図７は、セルラシステムとＷｉ−Ｆｉシステムの融合通信システムでＩＰフロー移動性の他の例を示す。図７は、互いに異なるデータフローのためのＵ−Ｐｌａｎｅ区分、即ち帯域幅/Ｕ−ｐｌａｎｅ分離を示す。
【００５２】
図７を参照すると、フロー１のためのＩＰパケットは、ＩＰパケット１、２及び３を含み、フロー２のためのＩＰパケットは、ＩＰパケット４、５、６及び７を含む。Ｐ−ＧＷは、ＰＤＮ１と接続され、ＬＭＡとして動作する。即ち、全てのＩＰパケットは、Ｐ−ＧＷを経て端末に送信される。フロー１のためのＩＰパケットは、ＢＳを経てセルラシステムを介して端末に送信される。このとき、ＢＳは、セルラシステムでのＭＡＧである。フロー２のためのＩＰパケットは、ｅＰＤＧ及び/またはＷＡＧを経てＷｉ−Ｆｉシステムを介して端末に送信される。このとき、ｅＰＤＧまたはＷＡＧは、Ｗｉ−ＦｉシステムでのＭＡＧである。即ち、互いに異なるフローのためのＩＰパケットが互いに分離される。
【００５３】
同時送信のためのシナリオにおいて、データフローに関するシームレス接続性をサポートするために、ネットワークによるセッションを設定する方法が要求されることができる。したがって、本発明の一実施例に従って、プライマリＲＡＴシステムの制御下に、プライマリＲＡＴシステムで同じＰＤＮに関するデータフローセッションを設定する方法を説明する。以下の説明において、プライマリＲＡＴシステムは３ＧＰＰ ＬＴＥシステムであり、セカンダリＲＡＴシステムはＷｉ−Ｆｉシステムであることを仮定するが、本発明はこれに制限されるものではない。また、以下の説明において、移動性ＩＰネットワークプロトコルはＰＭＩＰであることを仮定するが、本発明はこれに制限されるものではない。本発明は、ＤＳＭＩＰ(ｄｕａｌ ｓｔａｃｋ ｍｏｂｉｌｅ ＩＰ)プロトコル、ＧＴＰ(ＧＰＲＳ ｔｕｎｎｅｌｉｎｇ ｐｒｏｔｏｃｏｌ)などのような他のプロトコルに適用されることができる。また、セカンダリＲＡＴシステムにおいて、同じＰＤＮに関するデータフローセッションは既に存在すると仮定する。
【００５４】
さらに、本実施例は、全てのデータフローが多数個のＲＡＴシステムのうち最も適しているＲＡＴを介して送/受信されるようにサポートすることができ、このような送信は、ユーザ平面転換(ｓｗｉｔｃｈ)と定義することができる。前記データフローの送/受信インタラプト時間を最小化するために、高速事前−(再)連結(ｆａｓｔ ｐｒｅ−(ｒｅ)ａｓｓｏｃｉａｔｉｏｎ)及びユーザ平面生成/転換が要求される。前記高速事前−(再)連結及びユーザ平面生成/転換が要求される状況は、多数個のＲＡＴシステムを利用してデータフローが送信される過程でＡＰ間のシームレスなハンドオーバが要求される場合、または多数個のＲＡＴシステムを利用してデータフローが送/受信される場合を含むことができる。
【００５５】
高速事前−(再)連結及びユーザ平面生成/転換のために、本発明は、ＡＰ間のシームレスなハンドオーバ実行をサポートし、セルラ−ＷｉＦｉ融合シナリオとして帯域幅/ユーザ平面分離、帯域幅/ユーザ平面アグリゲーション、ユーザ平面転換を適用するためのプライマリＲＡＴシステム制御ベースのＷｉＦｉ事前−(再)連結トリガ及び手順実行をサポートする。
【００５６】
以下、本発明は、データ送信サポートに関する効率性及び迅速性を満たすために、端末が高速スキャニング(ｓｃａｎｎｉｎｇ)のための情報を取得する方式と、端末のアクションに従って適応的な閾値を構成する方式をより具体的に説明する。
【００５７】
図８は、本発明が適用される事前−(再)連結(ｐｒｅ−(ｒｅ)ａｓｓｏｃｉａｔｉｏｎ)手順の一例を示す。
【００５８】
図８(ａ)を参照すると、ユーザ平面高速遷移のための事前−(再)連結方法であって、セルラネットワーク(例えば、基地局、ａｄｖａｎｃｅｄ−基地局、ｅＮＢ、ＨｅＮＢ、ＮＢ)８００は、端末８１０に高速スキャニングのための情報を提供する。前記高速スキャニングのための情報は、端末の位置ベースのＡＰリスト(例えば、ＡＰ１、ＡＰ２、ＡＰ３)８０１、８０２、８０３、各ＡＰのシステム情報、ビーコン(ｂｅａｃｏｎ)、周波数チャネル、システムタイプ、及びシステムバージョンなどを含む。前記システムバージョンに関する情報は、各ＡＰのＩＥＥＥ８０２.１１ａ、ＩＥＥＥ８０２.１１ｂ、ＩＥＥＥ８０２.１１ｇ、ＩＥＥＥ８０２.１１ｎなどのバージョン、または各ＡＰのサポート可能な中心周波数、帯域幅、データ速度、アンテナ(ストリーム)の数及び変調方式、または今後向上した統合システムで新しく定義される形態のシステム情報に関連する情報を含むことができる。さらに、ＡＰ間のハンドオーバがシームレスに行われる場合、サービスを提供しているＡＰ(ｓｅｒｖｉｎｇ ＡＰ（ＡＰ１）)と同じＳＳＩＤ/ＨＥＳＳＩＤを有するＡＰのリストを含む高速スキャニング情報が構成されることもできる。
【００５９】
端末８１０は、前記高速スキャニングのための情報を既定の条件を満たすために取得したとき、ＡＰにユーザ平面高速遷移を実行する。以下、高速遷移のための端末特定閾値が定義される。本発明に従って、セルラネットワークは、ＷｉＦｉに関する測定結果に従ってアクション別閾値を定義することができる。このとき、セルラネットワークは、端末と前記アクション別閾値を交渉することができる。以下の表２のように定義することができる。
【００６０】
【表２】
2016524355.tif 000004
【００６１】
追加的に、端末によるＷｉＦｉの測定結果に従ったアクション別閾値が定義されることができ、この閾値はセルラネットワークと交渉されることもできる。
【００６２】
前記アクション別閾値は、例えば、ＱＣＩ(ＱｏＳ Ｃｌａｓｓ Ｉｄｅｎｔｉｆｉｅｒ)、より上位の選好及び/またはＮＷ選好(例えば、セルラ/ＷＬＡＮ選好)、セルラリンクに関する負荷状況（ｂａｌａｎｃｅ）、リンク品質（例えばセルラ／ＷＬＡＮ）、及び測定結果、該当端末のベアラ品質特性、のようなサービスレベルでの品質パラメータを含むことができ、または、ＡＰＮ−ＡＭＢＲ(ａｃｃｅｓｓ ｐｏｉｎｔ ｎａｍｅ−ａｇｇｒｅｇａｔｅ ｍａｘｉｍｕｍ ｂｉｔ ｒａｔｅ)、ＵＥ−ＡＭＢＲ(ＵＥ−ａｇｇｒｅｇａｔｅ ｍａｘｉｍｕｍ ｂｉｔ ｒａｔｅ)、データ量のようなアグリゲートされた最大ビットレート(データ速度)のためのＤａｔａ  ＱｏＳを含む品質パラメータに依存し異なって構成されることができる。
【００６３】
ここで、各ベアラ別閾値は、各々異なる条件番号を有する。さらに、アクション＃２、４、５に関する閾値は、端末が保有したベアラ毎に定義される必要がない。一例として、アクション＃２に関する閾値＝ＭＩＮ(ベアラＩＤ １に関する値、ベアラＩＤ ２に関する値、……ベアラＩＤ ｎに関する値)と定義することができる。
【００６４】
さらに、図８(ｂ)は、高速スキャニングによる最良のＮＷ選択を示す。例えば、セルラＮＷ(ｅＮＢ)８５０の負荷の増加のため一部ユーザまたは複数のユーザの特定データをＷｉ−Ｆｉを介して伝達しようとする場合、セルラＮＷは、ＳＳＩＤ、ＢＳＳＩＤ、オペレーティングクラス(ｏｐｅｒａｔｉｎｇ ｃｌａｓｓ)、端末と関連したＡＰ(隣接ＡＰ)間でロードオフを処理することができるＷｉ−Ｆｉ ＡＰ(または、ＡＰ、候補ＡＰ)８５１のチャネル＃を含む情報を伝達することができる。
【００６５】
セルラＮＷから受信された情報(伝達された情報)に従って、端末が特定オペレーティングクラス及びチャネル＃にに対してのみスキャンを開始すると、端末は、高速遷移になることができ、データ送信のエネルギ節約を実行することができる。セカンダリシステムであるＷＬＡＮとプライマリシステムである３ＧＰＰネットワークとの間のネットワーク選択が端末に基づくことを、それは含んでいる。その端末は、ＡＮＤＳＦ(Ａｃｃｅｓｓ Ｎｅｔｗｏｒｋ Ｄｉｓｃｏｖｅｒｙ ａｎｄ Ｓｅｌｅｃｔｉｏｎ Ｆｕｎｃｔｉｏｎ)ポリシーによってネットワーク選択の決定を行うことができる。端末は、各々、ネットワーク選択決定を下すために、ローカル信号強度及びネットワーク選好に大きく依存することができる。また、端末は、信号強度及びＷＬＡＮ選好情報に基づいてネットワーク選択を決定することができる。さらに、これは本発明が適用されている端末及びネットワークによる、ネットワーク全体リアルタイムパラメータに基づくネットワーク選択を含む。
【００６６】
言い換えると、既存測定報告を介して取得されたスキャニング結果(Ｗｉ−Ｆｉリンク品質)とセルラリンク品質、各データ(ベアラ)のＱｏＳ、並びに、送信及び受信されたデータの量に基づいて、セルラＮＷまたは端末は、セルラ及び/またはＷｉ−Ｆｉネットワークのうち一つが、端末毎またはデータ基準で使われるかどうかを決定することができる。本発明は、最良のＮＷ選択のために、端末単位、データ単位に実行することをさらに含む。
【００６７】
一方、図９は、ＮＷ選好と関連してサービス事業者のポリシーを具体的に示す。ユーザ加入情報(ｓｕｂｓｃｒｉｐｔｉｏｎ ｔｙｐｅ)を利用した事業者費用減少ポリシーを説明する。
【００６８】
料金プラン（ｍｏｄｅｌ）に応じ、時間制課金によりまたは無制限に音声サービスをユーザは使用することができ、料金プランに応じ、無制限にまたはメッセージ毎にＳＭＳ(ｓｈｏｒｔ ｍｅｓｓａｇｅ ｓｅｒｖｉｃｅ)/ＭＭＳ(ｍｕｌｔｉｍｅｄｉａ ｍｅｓｓａｇｅ ｓｅｒｖｉｃｅ)をユーザは使用することができる。無制限オプション（プラン、モデル）に加入したユーザが音声及びメッセージなどのサービスを利用しようとする場合、通信事業者は、該当サービスをＷｉ−Ｆｉシステムを介して提供することが費用面で有利である。さらに、通信事業者は、時間毎/通話（またはメッセージ）毎を基準とするプランに加入したユーザのためにＷｉ−Ｆｉシステムを活用した料金制を新設することができる。例えば、使用した時間/通話数（メッセージ数）がそのプランによって決められた時間/通話数（メッセージ数）を超過した場合、通信事業者は、該当サービスをＷｉ−Ｆｉシステムを介して提供することができる。
【００６９】
これは図９に示すように、通信事業者は、加入者プロファイルレポジトリ(ＳＰＲ；ｓｕｂｓｃｒｉｂｅｒ ｐｒｏｆｉｌｅ ｒｅｐｏｓｉｔｏｒｙ)、オフライン課金システム(ＯＦＣＳ；ｏｆｆｌｉｎｅ ｃｈａｒｇｉｎｇ ｓｙｓｔｅｍ)、オンライン課金システム(ＯＣＳ；ｏｎｌｉｎｅ ｃｈａｒｇｉｎｇ ｓｙｓｔｅｍ)などを利用してユーザ加入情報を管理することができる。ＳＰＲは、許容されたサービス、許容されたＱｏＳ等の情報を管理することができる。ＯＦＣＳは、端末別統計データ(トラフィック量、アクセス時間)などの情報を管理することができる。ＯＣＳは、各端末の残っている使用量を管理することができる。ユーザ加入情報に従って通信事業者によって要求される動作のための情報は、各エンティティに伝達されることができる。
【００７０】
言い換えると、通信事業者は、各サービスに対して通信事業者が選好するネットワークの種類(例えば、ＬＴＥシステム、Ｗｉ−Ｆｉシステム)を端末、ｅＮＢ、ＭＭＥなどの各エンティティに伝達することができる。ユーザ加入情報に従って通信事業者によって要求される動作のための情報は、ＰＤＮ接続(ベアラ)確立/修正過程、またはユーザ平面分離要求/応答過程、またはこの本実施例に従った端末特定閾値を含むより高速な遷移のための伝達過程において伝達されることができる。前記伝達された情報は、ユーザ平面分離適合可否を判断するための、またはユーザ平面転換適用のための、参照または基準として使用されることができる。
【００７１】
以下、本発明に従ったより高速な遷移のための前記端末特定閾値が説明される。前記端末特定閾値は、Ｂｅａｒｅｒ基準の端末特定閾値として定義されることができる。
【００７２】
【表３】
2016524355.tif 000005
【００７３】
または、ＱｏＳ基準の端末特定閾値が定義されることができ、これは表４の通りである。一例として、条件＃２が満たされる場合、該当ＱＣＩに相応する全てのベアラに対してアクション＃３(セルラネットワークからＷｉＦｉネットワークにユーザ平面遷移)が適用される形態で定義されることができる。
【００７４】
【表４】
2016524355.tif 000006
【００７５】
さらに、より高速な遷移のためにパラメータとして伝達される端末特定閾値は、構成タイプ、条件＃、アクション＃、閾値、ベアラ情報(例えば、ａｌｌ、ＬＣＩＤ/ＤＲＢ ＩＤ/Ｅ−ＲＡＢ ＩＤ/ＥＰＳベアラＩＤ)、ＱｏＳ情報(例えば、ＱＣＩ)、ＮＷ選好などを含むことができる。ここで、前記構成タイプは、条件に関する設定/変更/解除の状態を含むものであり、前記‘設定’は新しい条件構成を追加する場合であり、‘変更’は既に設定された条件構成を変更する場合であり、‘解除’は既に設定された条件構成を除去する場合であり、解除はより高速な遷移のためのスキャニング中断のために使われることができる。また、閾値は、データ量、データ特性(タイプ)またはデータＱｏＳに基づいて定義されることができる。
【００７６】
前記端末特定閾値パラメータは、スキャニング情報(例えば、オペレーティングクラス/バンド、チャネル番号、ＢＳＳＩＤ、ＳＳＩＤ、ＨＥＳＳＩＤ、事前連結優先順位)をさらに含むことができる。前記スキャニング情報は、前記端末特定閾値伝達と同時に該当情報に含まれているＷｉＦｉエンティティ(ｅｎｔｉｔｙ)(例えば、ＡＰ)のスキャニングを(指示)しようとする場合に含まれることができる情報である。すなわち、スキャニング情報は、端末特定閾値を該当ＡＰへ送信することによって該当ＡＰのスキャニング動作を指示するための指示子の使用を含む。ここで、前記スキャニング情報は、端末の電力消費を最小化するために、特定の特性を有するＡＰ(例えば、利用可能なＡＰ、選好されるＡＰ、個人ＡＰ)に限定することができる。さらに、各ＡＰの事前連結優先順位は、該当ＡＰの負荷状況及びサービスセットによって異なって設定されることができる。即ち、事前連結優先順位は、各ＡＰ及びサービス条件によって変わることができる。
【００７７】
さらに、前記端末特定パラメータは、該当条件＃の条件が満たすべき最小区間である満足期間(Ｓａｔｉｓｆａｃｔｉｏｎ ｄｕｒａｔｉｏｎ)に関する情報を含むことができる。さらに、前記端末特定パラメータは、ＷｉＦｉスリープモード(ｓｌｅｅｐ ｍｏｄｅ)転換待機区間であるスリープモード遷移期間(Ｓｌｅｅｐ ｍｏｄｅ ｔｒａｎｓｉｔｉｏｎ ｄｕｒａｔｉｏｎ)を含み、ここで、前記スリープモード遷移期間が０に設定されると、スリープモードへの即刻転換を意味する。そして、前記端末特定パラメータは、連結解除期間(Ｄｉｓａｓｓｏｃｉａｔｉｏｎ ｄｕｒａｔｉｏｎ)を含み、前記連結解除期間は、ＷｉＦｉ連結解除待機区間であって、０に設定されると、連結解除を即刻実行することを意味する。
【００７８】
図１０は、本発明の一実施例に従った高速遷移のためのシグナリングフローを示す。ここで、本発明に従った端末は、３ＧＰＰ ＬＴＥ(−Ａ)システムをプライマリＲＡＴシステムとしてサポートし、Ｗｉ−ＦｉシステムをセカンダリＲＡＴシステムとしてサポートすることができ、前記セカンダリＲＡＴシステムを利用して選択的にまたは全てのユーザ平面データを送/受信する通信装置を含む。以下、本発明は、一例として、ＷｉＦｉトリガ条件交渉(ｔｒｉｇｇｅｒ ｃｏｎｄｉｔｉｏｎ ｎｅｇｏｔｉａｔｉｏｎ)要求及び応答などの新しいメッセージを介して、新しく定義されたパラメータをネットワークと送受信する方式を示す。本発明はパラメータの手順を示し、それは端末により開始(ｉｎｉｔｉａｔｅｄ)されることもでき、ネットワークにより開始されることもできる。
【００７９】
まず、図１０(ａ)は、端末がパラメータ構成を要求する過程である。端末によるパラメータの伝達を開始する一例として、セルラエンティティと接続を確立/再確立する過程、端末のユーザによりＷｉＦｉ ＲＦがＯＮされた時のアイドル(ｉｄｌｅ)状態遷移などを含むことができる。
【００８０】
図１０(ａ)に示すように、ＷｉＦｉ ＲＦがユーザによりＯＮ状態に操作された場合、端末は、ネットワークにＷｉＦｉトリガ条件交渉要求を送信し、より高速な遷移のための端末特定パラメータの送信を要求する(１０１０)。
【００８１】
前記ＷｉＦｉトリガ条件交渉要求をネットワークが受信したとき、ネットワークは、位置ベースのＡＰリスト(例えば、ＡＰ１、ＡＰ２、ＡＰ３)、各ＡＰのシステム情報、ビーコン(Ｂｅａｃｏｎ)、周波数チャネル、システムタイプ及びシステムバージョンなどを含む高速スキャニングのための情報を含むＷｉＦｉトリガ条件交渉応答を前記端末に送信する。さらに、前記応答は、高速スキャニングのためのサービス可能なＡＰ(サービングＡＰ−ＡＰ１)と同じＳＳＩＤ/ＨＥＳＳＩＤを有するＡＰのリストを含む情報を含むこともできる。さらに、前記応答は、アクション別端末特定閾値を含むこともできる。これは表２乃至表４に含まれている情報を含むことができる。さらに、前記端末特定閾値は、構成タイプ、アクション＃、閾値、ベアラ情報、ＱｏＳ情報、ＮＷ選好、スキャニング情報、満足期間、スリープモード遷移期間、連結解除期間などを含むことができる(１０２０)。また、前記情報は、端末特定閾値、データ特定閾値及びデータの量を含む。
【００８２】
したがって、端末は、閾値が伝達された時点で、伝達された端末特定閾値、データ特定閾値及びデータの量を含むパラメータを利用してＷｉＦｉスキャニングを試みることができる。したがって、前記ＷｉＦｉスキャニングを介して取得した最適のＡＰにユーザ平面のための高速遷移を実行するようになる。
【００８３】
図１０(ｂ)は、ネットワーク(例えば、ｅＮＢ)が端末にパラメータ構成要求を送信する過程を示す。前記ｅＮＢによりパラメータ伝達を開始する一例として、セルラエンティティと接続を確立/再確立する時、セルラネットワークによりＷｉＦｉ ＲＦがＯＮされる必要があると判断される時、端末にアイドル状態への転換を指示する時を含むことができる。
【００８４】
第１のシステムのネットワークにより第２のシステムの送/受信部が活性化されるべき必要があると判断される場合、一例として、ｅＮＢにより端末のＷｉＦｉ ＲＦがＯＮされる必要があると判断される時、ｅＮＢは、前記端末に位置ベースのＡＰリスト(例えば、ＡＰ１、ＡＰ２、ＡＰ３)、各ＡＰのシステム情報、ビーコン、周波数チャネル、システムタイプ及びシステムバージョンなどを含む高速スキャニングのための情報を含む、ＷｉＦｉトリガ条件交渉要求を送信する(１０５０)。前記要求は、高速スキャニングのための端末特定パラメータを含み、また、前記端末によりサービス可能なＡＰ(サービングＡＰ−ＡＰ１)と同じＳＳＩＤ/ＨＥＳＳＩＤを有するＡＰのリスト、及び各サービスアクション別端末特定閾値を含むこともできる。これは表２乃至表４に含まれている形態で送信されることができる。さらに、前記端末特定閾値は、構成タイプ、アクション＃、閾値、ベアラ情報、ＱｏＳ情報、ＮＷ選好、スキャニング情報、満足期間、スリープモード遷移期間、連結解除期間などを含むことができる。
【００８５】
前記要求の受信応答として、前記端末は、ＷｉＦｉトリガ条件交渉応答を送信する(１０６０)。端末がＷｉＦｉ   ＲＦをＯＮにする場合、前記情報を含む前記伝達されたパラメータを利用してＷｉＦｉスキャニングを試みることができる。したがって、前記ＷｉＦｉスキャニングを介して取得した最適のＡＰにユーザ平面のための高速遷移を実行するようになる。
【００８６】
ここで、高速遷移が前記ネットワークにより前記ＷｉＦｉトリガ条件交渉を介して要求される場合、これは前記端末特定閾値交渉を要求することとして使われ、または前記端末特定閾値に関する交渉だけでなく、端末にＷｉＦｉスキャニングを指示することを意味する。前記ＷｉＦｉスキャニング指示のための指示子は、ｏｎ/ｏｆｆ形態として、または前もって決定されたビット、Ｂｏｏｌｅａｎ値として設定されることができ、前記要求メッセージの受信により暗黙的に指示されると見なされることができる。本実施例は、手順の例として端末特定閾値を示し、前記手順は、データ特定閾値及びデータの量の伝達をさらに含むことができる。
【００８７】
したがって、端末特定閾値に関する交渉が正常に完了した後(時点で)、端末は、前記ＷｉＦｉスキャニングを試みる。また、ユーザの設定によりＷｉＦｉスキャニングが必要とされたとき、ＷｉＦｉスキャニング動作は端末がＷｉＦｉスキャニングを拒絶することを含むよう、本実施例は動作することができる。
【００８８】
さらに、前記ＷｉＦｉトリガ条件交渉要求/応答手順において、前記閾値が変更された場合、第１のシステム(セルラシステム)と第２のシステム(ＷｉＦｉシステム)のデータ負荷状態(一例として、ＡＰ ｌｏａｄ)などを考慮し、変更された端末特定閾値は伝達／再伝達されることができる。
【００８９】
図１１は、本発明の他の実施例に従って高速遷移のためにパラメータをシグナリングする方法を示す。図１１は、ＲＲＣメッセージを利用して端末特定閾値を伝達する例を示す。
【００９０】
図１１(ａ)に示すように、端末は、ＲＲＣ接続再構成手順を利用して端末特定閾値をネットワークから受信することができる(１１１０)。本発明に従って、端末特定閾値を含むＲＲＣ接続再構成は、ＷＬＡＮトリガリング条件の設定/変更/解除の目的のために構成されることができる。
【００９１】
さらに、前記端末特定閾値は、測定と関連したＲＲＣメッセージを介して送/受信されることができる。一例として、ＷＬＡＮ測定構成(例えば、ＭｅａｓＯｂｊｅｃｔＷＬＡＮ−ｃａｒｒｉｅｒＩｎｆｏ/チャネル番号、ｃｅｌｌｓＴｏＡｄｄＭｏｄＬｉｓｔ/セルインデックス/ＡＰのＭＡＣアドレス、報告構成等)が構成されて伝達される（送信される）こともできる。それによって、端末は、ＷＬＡＮ測定構成を構成し、各構成された測定構成に端末特定閾値を反映して該当ＡＰに対して測定設定/変更/解除を実行するようになる。または、前記端末特定閾値は、ベアラ構成と関連したＲＲＣメッセージを介して送信されることができる。一例として、無線ベアラ確立/変更/解除のための端末特定閾値は、ベアラ情報(例えば、ｒａｄｉｏＲｅｓｏｕｒｃｅＣｏｎｆｉｇＤｅｄｉｃａｔｅｄ)と共に伝達されることができる。
【００９２】
前記端末は、ＲＲＣ接続再構成完了をネットワークに送信する(１１２０)。前記完了メッセージを介して前記端末特定閾値及び測定またはベアラ確立が正常に受信されたことを知らせることができる。
【００９３】
前記端末は、ＷｉＦｉ   ＲＦがＯＮで動作する場合、前記伝達されたパラメータを利用してＷｉＦｉスキャニングを試みることができる。前記端末は、ＷｉＦｉスキャニング結果に関する測定報告を送信する(１１３０)。
【００９４】
ここで、前記端末特定閾値の送/受信は、前記端末特定閾値の交渉だけでなく、ＷｉＦｉスキャニング指示/応答を意味する。本実施例は、手順の例として端末特定閾値を示し、前記手順は、データ特定閾値及びデータの量の伝達をさらに含むことができる。前記ＷｉＦｉスキャニング指示のための指示子はｏｎ/ｏｆｆ形態として、または前もって決定されたビット、Ｂｏｏｌｅａｎ値として定義されることができる。前記ＲＲＣメッセージを介して暗黙的なＷｉＦｉスキャニングが指示されることができる。
【００９５】
図１１(ｂ)に示すように、ネットワークは、データ送信が要求される時、端末特定閾値を受信した端末に、ＲＲＣ接続解除手順を介して第１のシステムであるＬＴＥまたは第２のシステムであるＷＬＡＮの選択を指示することができる(１１５０)。言い換えると、ネットワークは、前記ＲＲＣ接続解除を送信することによって、第１のシステムであるセルラシステムとのＲＲＣ接続確立を解除することと、その後アイドルモードで動作することとを端末に指示する。そして、ネットワークは、端末特定閾値を含む設定されたパラメータを利用してデータ送/受信を実行するため、第２のシステムであるＷｉＦｉ ＲＦへＯＮで動作するように指示することができる。
【００９６】
さらに、前記ネットワークは、ページングまたはＴＡＵ(Ｔｒａｃｋｉｎｇ ｕｐｄａｔｅ)メッセージを利用し、該当端末をアウェイクし、またはアップデートし、または前記端末特定閾値に対するオフセットであって存在している値に対するオフセットをブロードキャスト方式によって知らせることができる。言い換えると、前記端末特定閾値は、オフセットを介してアップデートされる。
【００９７】
図１１(ｃ)に示すように、本発明に従って、端末は、ＷｉＦｉスキャニングを実行し(例えば、端末のユーザによりＷｉＦｉ ＲＦがＯＮされた時)、そして、端末は測定結果と共により高速な遷移のための端末特定閾値をネットワークに伝達することができる(１１９０)。ｅＮＢにより測定構成が構成されなくても、端末は、ＷｉＦｉのスキャニング結果(例えば、スキャニングターゲットＩＤ(ｉｄｅｎｔｉｔｙ)、測定結果)を測定報告を介して送信することができる。このとき、自律(ａｕｔｏｎｏｍｏｕｓ)測定報告に関する各ＲＡＴタイプ別測定ＩＤ(ｍｅａｓＩｄ)は、予め定義されることができる。ＷＬＡＮの場合、ｍｅａｓＩｄ＝３２に設定されることができる。または、インター(ｉｎｔｅｒ)−ＲＡＴタイプなどのようにどの対象に関する測定かを知らせる情報と共に、それは送信されることができる。
【００９８】
図１２は、本発明に従った端末の状態遷移を概略的に示す。この実施例はより高速な遷移のための端末特定閾値に従った端末の状態動作を示すものである。条件＃に相応するアクションをその条件が満足されたときに取った端末は、図１２に示され、前記アクションに関する説明は、表２に示される。
【００９９】
図１２を参照すると、端末の条件構成２が示されていて、例にはＷｉ−Ｆｉが適用されているが、その例は変更と変化とともにＬＴＥに適用されてもよい。さらに、各条件は、予め定義された一定期間(例えば、満足期間)を満たさなけければならない。
【０１００】
【表５】
2016524355.tif 000007
【０１０１】
前記表５を参照し、まず、端末特定閾値交渉に従った端末による動作を説明する。
【０１０２】
条件＃１：アクション＃２に関する閾値≦ＷｉＦｉ測定出力。端末は、前記条件＃１を満たす１個以上のＡＰの中から事前連結優先順位によって選択された最良のＡＰと(再)連結を実行する。このとき、ＷｉＦｉスリープモード遷移期間が満了される時までにユーザ平面遷移が行われていない場合、端末は、ＷｉＦｉスリープモードに転換する。これはＷｉＦｉスリープモード遷移期間が交渉された場合に適用可能である。さらに、ＷｉＦｉ連結解除期間が満了される時までにユーザ平面遷移が行われていない場合、端末は、連結解除を実行する。これはＷｉＦｉ連結解除期間が交渉された場合に適用可能である。
【０１０３】
条件＃２：アクション＃３に関する閾値≦ＷｉＦｉ測定出力。端末は、条件＃２に該当する１個以上のベアラに対してＷｉＦｉシステムでユーザ平面遷移を実行する。このとき、連結が行われていない場合、前記条件＃２を満たす１個以上のＡＰの中から選択された最良のＡＰとの(再)連結をまず実行する。
【０１０４】
条件＃３：アクション＃４に関する閾値≧ＷｉＦｉ測定出力。全てのＡＰが前記条件＃３を満たす場合、端末は、ＷｉＦｉスキャニングを中断することができる。または、端末のＷｉＦｉ ＲＦがＯＦＦされることができる。このとき、連結された状態の場合、端末は、該当ＡＰに対して連結解除をまず実行することができる。
【０１０５】
条件＃４：アクション＃５に関する閾値≧ＷｉＦｉ測定出力。連結されたＡＰとともに前記条件を満たす場合、端末は、該当ＡＰに対して連結解除を実行する。
【０１０６】
条件＃５：アクション＃６に関する閾値≧ＷｉＦｉ測定出力。端末は、条件＃５に該当する１個以上のベアラに対してセルラでユーザ平面遷移を実行する。
【０１０７】
ここで、端末からの測定報告は必須ではない。即ち、測定報告は選択的に、または測定報告が必要であると指示される時に設定されることができる。
【０１０８】
一方、端末特定閾値交渉に従ったセルラネットワーク指示による動作を説明する。端末は、満たされた条件に関する情報(例えば、条件＃)をセルラネットワークに報告する。セルラネットワークは、該当報告に関するアクションコードを送信する。該当送信がなされた後で該当条件が満たされている間、セルラネットワークは、決定が必要なときはいつでもアクションコードを該当端末としての装置に送信することができる。即ち、要求しない(ｕｎｓｏｌｉｃｉｔｅｄ)送信を実行することができる。さらに、該当条件に関するアクションコード‘０ｂ００’を受信すると、端末は、アクションコード‘０ｂ０１’を必要なときいつでも受信することができる。前記、アクションコードに関する一例として、‘０ｂ００’は、イベント（条件）が発生した時にイベントの報告が要求されることを意味し、‘０ｂ０１’は、該当条件が満たされた時すぐに対応する動作が実行されることができることを意味する。
【０１０９】
前記アクションコード‘０ｂ００’を受信した端末は、既に報告した条件に関するイベントが発生した時、これをセルラネットワークに報告する。これは、例えば、満たされたと報告した条件がもはや有効でない時を含むことができる。アクションコード‘０ｂ０１’を受信した後、端末は、前記受信された端末特定閾値によって動作する。
【０１１０】
さらに、端末の測定報告に従った、セルラネットワークによって指示された動作を説明する。
【０１１１】
端末は、測定及び測定報告を実行する。端末は、セルラネットワークにより構成されたＷｉＦｉに関する測定構成及び条件構成を受信及び設定し、前記構成に従って測定及び測定報告を実行する。
【０１１２】
セルラネットワークは、前記条件構成及び測定構成に従って構成された該当端末の閾値と、端末によって報告された結果とを比較する。より具体的に、比較は以下に説明される。
【０１１３】
条件＃１：アクション＃２に関する閾値≦ＷｉＦｉ測定出力。前記ネットワークは、前記条件＃１が満たされる１個以上のＡＰのうち、どのＡＰに(再)連結しなければならないかを該当端末に知らせることができる。このとき、セルラネットワークは、ＷｉＦｉスリープモード遷移期間を共に送信することができる。さらに、セルラネットワークは、ＷｉＦｉ連結解除期間を送信することもできる。前記ネットワークから伝達される情報は、(再)連結を含むアクションコード、(再)連結されるＡＰ情報を含むことができる。前記ＡＰ情報は、例えば、バンド、チャネル番号、ＢＳＳＩＤ、ＳＳＩＤ、ＨＥＳＳＩＤなどを含むことができ、ＷｉＦｉスリープモード遷移期間、ＷｉＦｉ連結解除期間をさらに含むことができる。
【０１１４】
条件＃２：アクション＃３に関する閾値≦ＷｉＦｉ測定出力。前記ネットワークは、条件＃２に該当する１個以上のベアラに対してＷｉＦｉシステムでユーザ平面遷移を指示することができる。このとき、連結がまだ行われていない場合、条件＃１で伝達された情報が共に送信されることができる。前記ネットワークから伝達される情報は、(セルラとＷｉＦｉとの間の)ユーザ平面遷移を指示するアクションコード、ＬＣＩＤ/ＤＲＢ ＩＤ/Ｅ−ＲＡＢ ＩＤ/ＥＰＳ Ｂｅａｒｅｒ ＩＤのようなベアラに関する識別情報、ルーティングタイプ(ユーザ平面アグリゲーション/分離/転換)、ルーティング規則(各ＲＡＴシステムを介した送信比率、または送信ＲＡＴ＝ＷｉＦｉ)及びＡＰ情報(例えば、バンド、チャネル番号、ＢＳＳＩＤ、ＳＳＩＤ、ＨＥＳＳＩＤ)等を含むことができる。ここで、アクションコードは、Ｕ−ｐｌａｎｅ遷移方向に関する情報をさらに含むことができる。
【０１１５】
条件＃３：アクション＃４に関する閾値≧ＷｉＦｉ測定出力。スキャンされたＡＰに関する測定結果が前記条件＃３を満たす場合、前記ネットワークは、端末にＷｉＦｉスキャニング中断を指示することができる。そして、端末のＷｉＦｉ ＲＦがＯＦＦ状態に動作されることができる。これは測定解除のためのＲＲＣ接続再構成を介して指示されることができる。
【０１１６】
条件＃４：アクション＃５に関する閾値≧ＷｉＦｉ測定出力。該当端末と連結されたＡＰと端末との間の測定結果が前記条件＃４を満たす場合、前記ネットワークは、該当ＡＰに対して連結解除を実行することを端末へ指示することができる。前記条件＃４と関連して伝達される情報は、連結解除を意味するアクションコード及び連結解除されるＡＰ情報(例えば、バンド、チャネル番号、ＢＳＳＩＤ、ＳＳＩＤ、ＨＥＳＳＩＤ)を含むことができる。
【０１１７】
条件＃５：アクション＃６に関する閾値≧ＷｉＦｉ測定出力。前記ネットワークは、前記条件＃５に該当する１個以上のベアラに対してセルラでユーザ平面遷移を実行することを端末へ指示することができる。このとき、情報は、(ＷｉＦｉ)ユーザ平面遷移を指示するアクションコード、ＬＣＩＤ/ＤＲＢ ＩＤ/Ｅ−ＲＡＢ ＩＤ/ＥＰＳベアラＩＤのようなベアラ識別情報、ルーティングタイプ(ユーザ平面アグリゲーション/分離/転換)及びルーティング規則(各ＲＡＴシステムを介した送信比率、または送信ＲＡＴ＝セルラ)を含むことができる。
【０１１８】
したがって、前記ネットワークの指示に応じて、端末は、受信されたアクションコードに基づいた動作を実行する。
【０１１９】
アクションコードが (再)連結であると端末により確認された場合、端末は、指示されたＡＰに(再)連結を実行する。このとき、ＷｉＦｉスリープモード遷移期間が満了される時までにユーザ平面遷移が実行されない場合、端末は、ＷｉＦｉスリープモードに転換する。これは前記ＷｉＦｉスリープモード遷移期間が受信された場合に適用される。一方、ＷｉＦｉ連結解除期間が満了される時までにユーザ平面遷移が行われていない場合、端末は、連結解除を実行する。これはＷｉＦｉ連結解除期間が受信された場合に適用されることができる。
【０１２０】
アクションコードがセルラユーザ平面遷移であると端末により確認された場合、端末は、指示された一つ以上のベアラに対してＷｉＦｉシステムでユーザ平面遷移を実行する。このとき、連結が行われていない場合、指示されたＡＰとの(再)連結をまず実行する。
【０１２１】
一方、測定を解除するためにＲＲＣ接続再構成が端末により受信される場合、端末は、ＷｉＦｉスキャニングを中断することができる。そして、前記端末は、自らのＷｉＦｉ ＲＦをＯＦＦにする。端末が連結されている場合、端末は、ＡＰに対して連結解除を実行する。
【０１２２】
アクションコードが連結解除と確認される場合、端末は、指示されたＡＰ、即ち、連結されたＡＰに対して連結解除を実行する。
【０１２３】
アクションコードがＷｉＦｉユーザ平面遷移と確認される場合、端末は、指示された一つ以上のベアラに対してセルラシステムでユーザ平面遷移を実行する。
【０１２４】
本発明に従って、ベアラ基準で端末特定閾値を定義した場合、端末は、一つ以上のＡＰと連結された状態を維持することができる。したがって、本発明でシームレスなハンドオーバサポートが可能である。
【０１２５】
説明したように、アクションは、端末、ネットワークまたは前記端末とネットワークを含む両方のエンティティにより実行されることができる。例えば、前記端末またはネットワークの指示(命令または指示)に応じる端末により該当トリガリング条件が満たされる場合に。したがって、端末は、前記アクション別閾値を利用して該当アクションをトリガリングでき、またはそのトリガアクションについてネットワークに選択的に報告し、またはネットワークの指示によって該当アクションを実行することができる。また、オプションとして、端末による測定報告を選択的に実行することができる。以下の表６は、本発明に従ったアクション実行方式を簡略に整理したものである。しかし、本実施例は、以下の表６に限定されるものではなく、以下の表６の動作は、端末とネットワークにおける必要性によって、選択的に変更/削除されることもできる。
【０１２６】
【表６】
2016524355.tif 000008
【０１２７】
図１３は、本発明に従って該当アクションを実行するフローチャートを示す。
【０１２８】
図１３を参照すると、端末は、端末特定閾値を含む構成情報と高速スキャニングのための情報とをネットワークから受信する(１３１０)。前記構成情報は、第１のシステムに位置した端末により第２のシステムとのデータ通信を効率的に実行するための構成情報を含むことができ、構成のための情報は、トリガリング条件、測定構成または無線ベアラ構成で構成されることができる。前記端末特定閾値は、データ量、データ特性(タイプ)またはデータＱｏＳとして定義された閾値に拡張されることができる。さらに、前記閾値パラメータは、端末特定閾値別、データ量、データ特性(タイプ)、データＱｏＳまたは複数のシステム間のネットワーク選好タイプを含む。
【０１２９】
一例として、前記構成情報は、ＷｉＦｉに関する測定結果によるアクション別端末特定閾値を含んで送信されることができる。前記閾値は、ユーザ選好及び/またはＮＷ選好、セルラリンク状況、測定結果、ベアラ及びＱｏＳ基準として定義されることができる。前記構成情報はまた、データ特定閾値及びデータの量を含む。本発明に従って、前記閾値に関する情報のパラメータは、ＷｉＦｉトリガ条件交渉要求/応答またはＲＲＣメッセージにより送信されることができ、またはこのような送信は、測定報告により実行されることもできる。
【０１３０】
前記端末は、構成情報、閾値を含む構成されたパラメータを利用してトリガリング条件を満たすイベントが発生した（起こった）かどうかを識別(決定または確認)することができる。前記端末は、トリガリング条件を満たす条件番号(条件＃)をネットワークに報告することができる。即ち、端末は、閾値及び構成に基づいている条件を確認及び報告することができる(１３２０)。このとき、前記端末は、測定結果を条件と共に報告することができ、または測定報告を介して前記条件のみを報告することもできる。前記端末の報告によって、ネットワークは、自分が構成した条件と報告された条件を比較することができる。前記比較に従って、前記ネットワークは、前記端末に該当アクションを実行するように指示することができる。このような場合、ネットワークにより伝達される情報は、アクションコード及び該当動作実行のために必要な情報を含むことができる。したがって、端末は、該当アクションに従った動作を実行することができる(１３３０)。
【０１３１】
図１４は、本発明の実施例に従った無線通信システムのブロック図である。
【０１３２】
ＢＳ１４５０は、プロセッサ(ｐｒｏｃｅｓｓｏｒ)１４５１、メモリ(ｍｅｍｏｒｙ)１４５２及びＲＦ部(ｒａｄｉｏ ｆｒｅｑｕｅｎｃｙ)１４５３を含む。メモリ１４５２は、プロセッサ１４５１と連結され、プロセッサ１４５１を駆動するための多様な情報を格納する。ＲＦ部１４５３は、プロセッサ１４５１と連結され、無線信号を送信及び/または受信する。プロセッサ１４５１は、提案された機能、手順及び/または方法を実現する。本実施例の図２乃至図１３において、ＢＳの動作は、プロセッサ１４５１により実現されることができる。
【０１３３】
特に、プロセッサ１４５１は、異なる周波数を有する一つ以上のセルまたはセルラ/Ｗｉ−Ｆｉを含むシステムを構成することができ、本発明で前記プロセッサ１４５１は、セカンダリシステムとしてのＷｉ−Ｆｉシステムと共に、ＷＬＡＮトリガリング条件、測定構成、及び/または無線ベアラ構成を有するユーザ平面構成を構成することができる。
【０１３４】
この実施例でデータ送信を拡張するために、前記プロセッサ１４５１は、セカンダリシステムであるＷｉ−Ｆｉシステムのために構成される、アクション別閾値を含む情報を構成することができ、前記アクション別閾値は、閾値とセカンダリＲＡＴシステム下のＡＰの測定結果とにより条件をトリガリングするために使われ、したがって、端末が条件に従って該当アクションを実行するようになる。前記閾値は変更可能で、プライマリＲＡＴシステムまたはセカンダリＲＡＴシステムを含むネットワーク選好、ＱｏＳ(ｑｕａｌｉｔｙ ｏｆ ｓｅｒｖｉｃｅ)、及びベアラ情報のうち少なくともいずれか一つにより変えられる。また、前記閾値は、データ量、データ特性(タイプ)、またはデータＱｏＳに基づいて定義されることができる。
【０１３５】
前記プロセッサ１４５１は、情報を構成することができる。前記情報は、前記セカンダリＲＡＴシステムと連結が設定されたかどうか、前記セカンダリＲＡＴシステムに対するスキャニングが一時中断されたかどうか、及びデータ送信のための前記プライマリＲＡＴシステムと前記セカンダリＲＡＴシステムとの間の遷移方向が設定されたかどうかを含むアクションに関する情報をさらに含む。前記アクションに関する情報は、該当アクションに関する番号を含む。前記情報は、トリガリング閾値、期間を含む条件に関する情報をさらに含み、前記期間は、条件満足期間(ｓａｔｉｓｆａｃｔｉｏｎ ｄｕｒａｔｉｏｎ ｏｆ ａ ｃｏｎｄｉｔｉｏｎ)、スリープモード遷移期間(ｓｌｅｅｐ ｍｏｄｅ ｔｒａｎｓｉｔｉｏｎ ｄｕｒａｔｉｏｎ)及び連結解除期間(ｄｉｓａｓｓｏｃｉａｔｉｏｎ ｄｕｒａｔｉｏｎ)のうち少なくともいずれか一つを含む。前記条件に関する情報は、該当条件に関する番号を含む。そして、前記情報は、セカンダリＲＡＴシステムのアクセスポイント(ＡＰｓ)の優先順位を含むスキャニング情報と、利用可能なＡＰ、選好されるＡＰまたは個人ＡＰを含む選好情報とを含み、前記優先順位は、各ＡＰのサービスセット及び負荷により決定される。前記プロセッサ１４５１は、情報を構成することができ、前記情報は、条件が設定、変更または解除されるかどうかを含む構成をさらに含む。
【０１３６】
したがって、前記プロセッサ１４５１は、端末の構成された情報を有する信号手順を有することができ、前記プロセッサ１４５１は、トリガ条件構成、測定構成、無線リソースベアラ構成、プライマリＲＡＴシステムの接続解除または端末に測定報告メッセージを含むトリガ条件交渉要求メッセージ、トリガ条件交渉応答メッセージ、またはＲＲＣメッセージを送/受信することを制御する。
【０１３７】
無線装置１４６０は、プロセッサ１４６１、メモリ１４６２及びＲＦ部１４６３を含む。メモリ１４６２は、プロセッサ１４６１と連結され、プロセッサ１４６１を駆動するための多様な情報を格納する。ＲＦ部１４６３は、プロセッサ１４６１と連結され、無線信号を送信及び/または受信する。プロセッサ１４６１は、提案された機能、手順及び/または方法を実現する。本明細書の図２乃至図１３において、端末の動作は、プロセッサ１４６１により実現されることができる。
【０１３８】
特に、プロセッサ１４６１は、異なる周波数を有する一つ以上のセル、またはセルラ/Ｗｉ−Ｆｉを含むシステムを構成することができ、本発明で前記プロセッサ１４６１は、セカンダリシステムとしてのＷｉ−Ｆｉシステムと共に、ＷＬＡＮトリガリング条件、測定構成、及び/または無線ベアラ構成を有するユーザ平面構成を構成することができる。
【０１３９】
この実施例でデータ送信を拡張するために、前記プロセッサ１４５１は、セカンダリシステムであるＷｉ−Ｆｉシステムのために構成される、アクション別閾値を含む構成情報を確認することができ、前記アクション別閾値は、閾値とセカンダリＲＡＴシステム下のＡＰの測定結果とにより条件をトリガリングするために使われ、したがって、端末が条件に従って該当アクションを実行するようになる。前記閾値は変更可能で、プライマリＲＡＴシステムまたはセカンダリＲＡＴシステムを含むネットワーク選好、ＱｏＳ(ｑｕａｌｉｔｙ ｏｆ ｓｅｒｖｉｃｅ)、及びベアラ情報のうち少なくともいずれか一つにより変えられる。また、前記閾値は、データ量、データ特性(タイプ)、またはデータＱｏＳに基づいて定義されることができる。ここで、前記プロセッサ１４６１は、取得、比較、測定、決定及び計算などの動作のうちいずれか一つを有することによって情報を確認することができる。
【０１４０】
前記プロセッサ１４６１は、情報を決定(または確認)することができる。前記情報は、前記セカンダリＲＡＴシステムと連結が設定されたかどうか、前記セカンダリＲＡＴシステムに対するスキャニングが一時中断されたかどうか、及びデータ送信のための前記プライマリＲＡＴシステムと前記セカンダリＲＡＴシステムとの間の遷移方向が設定されたかどうかを含むアクションに関する情報をさらに含む。前記アクションに関する情報は、該当アクションに関する番号を含む。前記情報は、トリガリング閾値、期間を含む条件に関する情報をさらに含み、前記期間は、条件満足期間(ｓａｔｉｓｆａｃｔｉｏｎ ｄｕｒａｔｉｏｎ ｏｆ ａ ｃｏｎｄｉｔｉｏｎ)、スリープモード遷移期間(ｓｌｅｅｐ ｍｏｄｅ ｔｒａｎｓｉｔｉｏｎ ｄｕｒａｔｉｏｎ)及び連結解除期間(ｄｉｓａｓｓｏｃｉａｔｉｏｎ ｄｕｒａｔｉｏｎ)のうち少なくともいずれか一つを含む。前記条件に関する情報は、該当条件に関する番号を含む。そして、前記情報は、セカンダリＲＡＴシステムのアクセスポイント(ＡＰｓ)の優先順位を含むスキャニング情報と、利用可能なＡＰ、選好されるＡＰまたは個人ＡＰを含む選好情報とをさらに含み、前記優先順位は、各ＡＰの負荷サービスセットにより決定される。前記プロセッサ１４６１は、情報を確認及び構成することができ、前記情報は、条件が設定、変更または解除されるかどうかを含む構成をさらに含む。
【０１４１】
したがって、前記プロセッサ１４６１は、端末の構成された情報を有する信号手順を有することができ、前記プロセッサ１４６１は、トリガ条件構成、測定構成、無線リソースベアラ構成、プライマリＲＡＴシステムの接続解除または端末に測定報告メッセージを含むトリガ条件交渉要求メッセージ、トリガ条件交渉応答メッセージ、またはＲＲＣメッセージを送/受信することを制御する。
【０１４２】
端末に関する閾値情報を取得した以後、前記プロセッサ１４６１は、セカンダリＲＡＴシステムに対するスキャニング動作も実行することができ、前記閾値情報は、スキャニング動作を指示するための指示子を含む。さらに、前記プロセッサ１４６１は、セカンダリＲＡＴシステムの連結されたＡＰの測定結果を報告することを制御することができる。即ち、前記プロセッサ１４６１は、前記閾値及び前記測定結果を満たす条件に関する情報をプライマリＲＡＴシステムエンティティ(ｅｎｔｉｔｙ)に報告することを制御することができ、前記条件が変更される場合、一つのコードが前記アクションを直接実行するように指示するか、または他のコードが前記条件を報告するように指示するかを含むアクションコード(ａｃｔｉｏｎ ｃｏｄｅ)を受信することを制御することができる。前記プライマリＲＡＴシステムエンティティは、ｅＮＢ(ｅＮｏｄｅＢ)、ＭＭＥ(ｍｏｂｉｌｉｔｙ ｍａｎａｇｅｍｅｎｔ ｅｎｔｉｔｙ)または新しいエンティティのうちいずれか一つである。
【０１４３】
プロセッサは、ＡＳＩＣ(ａｐｐｌｉｃａｔｉｏｎ−ｓｐｅｃｉｆｉｃ ｉｎｔｅｇｒａｔｅｄ ｃｉｒｃｕｉｔ)、他のチップセット、論理回路及び/またはデータ処理装置を含むことができる。メモリは、ＲＯＭ(ｒｅａｄ−ｏｎｌｙ ｍｅｍｏｒｙ)、ＲＡＭ(ｒａｎｄｏｍ ａｃｃｅｓｓ ｍｅｍｏｒｙ)、フラッシュメモリ、メモリカード、格納媒体及び/または他の格納装置を含むことができる。ＲＦ部は、無線信号を処理するためのベースバンド回路を含むことができる。実施例がソフトウェアで実現される時、前述した技法は、前述した機能を遂行するモジュール(手順、機能など)で実現されることができる。モジュールは、メモリに格納され、プロセッサにより実行されることができる。メモリは、プロセッサの内部または外部にあり、よく知られた多様な手段によりプロセッサと連結されることができる。
【０１４４】
前述した例示的なシステムにおいて、方法は、一連のステップまたはブロックでフローチャートに基づいて説明されているが、本発明は、ステップの順序に限定されるものではなく、あるステップは、前述と異なるステップと、異なる順序にまたは同時に発生できる。さらに、当業者であれば、フローチャートに示すステップが排他的でなく、他のステップが含まれ、またはフローチャートの一つまたはそれ以上のステップが本発明の範囲に影響を及ぼさずに削除可能であることを理解することができる。
【図１】
2016524355.tif 000009
【図３】
2016524355.tif 000010
【図２】
2016524355.tif 000011
【図４】
2016524355.tif 000012
【図５】
2016524355.tif 000013
【図６】
2016524355.tif 000014
【図７】
2016524355.tif 000015
【図８】
2016524355.tif 000016
【図９】
2016524355.tif 000017
【図１０】
2016524355.tif 000018
【図１１】
2016524355.tif 000019
【図１２】
2016524355.tif 000020
【図１３】
2016524355.tif 000021
【図１４】
2016524355.tif 000022
【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
無線通信システムにおいて端末（ＵＥ）がデータ送信を実行する方法であって、
プライマリ無線アクセス技術（ＲＡＴ）システムを介してデータ送信を実行することと、
閾値を含む情報を取得することと、
前記閾値と測定結果とに基づいて条件を確認することと、
前記条件が満たされる場合、セカンダリＲＡＴシステムを介してデータ送信を実行することとを含む、方法。
【請求項２】
前記プライマリＲＡＴシステムは、第３世代パートナーシッププロジェクト（３ＧＰＰ）ロングタームエボリューション（ＬＴＥ）システムであり、
前記セカンダリＲＡＴシステムは、米国電気電子学会（ＩＥＥＥ）８０２.１１システムである、請求項１に記載の方法。
【請求項３】
前記測定結果が前記閾値より高い場合、前記条件は満たされる、請求項２に記載の方法。
【請求項４】
前記測定結果は、前記セカンダリＲＡＴシステムの測定結果である、請求項３に記載の方法。
【請求項５】
前記プライマリＲＡＴシステムは、ＩＥＥＥ８０２.１１システムであり、
前記セカンダリＲＡＴシステムは、３ＧＰＰ ＬＴＥシステムである、請求項１に記載の方法。
【請求項６】
前記閾値が前記測定結果より高い場合、前記条件は満たされる、請求項５に記載の方法。
【請求項７】
前記測定結果は、前記プライマリＲＡＴシステムの測定結果である、請求項６に記載の方法。
【請求項８】
前記情報は、無線リソース制御（ＲＲＣ）接続再構成メッセージを介して取得される、請求項１に記載の方法。
【請求項９】
前記条件は、特定期間満たされる、請求項１に記載の方法。
【請求項１０】
前記セカンダリＲＡＴシステムを介してデータ送信を実行することは、前記プライマリＲＡＴシステムから前記セカンダリＲＡＴシステムにユーザ平面(Ｕ−ｐｌａｎｅ)遷移を実行することを含む、請求項１に記載の方法。
【請求項１１】
メモリと、
無線周波数（ＲＦ）部と、
前記メモリ及び前記ＲＦ部と動作的に連結されているプロセッサとを含み、
前記プロセッサは、
前記ＲＦ部がプライマリ無線アクセス技術（ＲＡＴ）システムを介してデータ送信を実行することを制御し、
前記ＲＦ部が閾値を含む情報を取得することを制御し、
前記閾値と測定結果とに基づいて条件を確認し、
前記条件が満たされる場合、前記ＲＦ部がセカンダリＲＡＴシステムを介してデータ送信を実行することを制御するように構成されている、無線装置。
【請求項１２】
前記プライマリＲＡＴシステムは、第３世代パートナーシッププロジェクト（３ＧＰＰ） ロングタームエボリューション（ＬＴＥ）システムであり、
前記セカンダリＲＡＴシステムは、米国電気電子学会（ＩＥＥＥ）８０２.１１システムである、請求項１１に記載の無線装置。
【請求項１３】
前記測定結果が前記閾値より高い場合、前記条件は満たされる、請求項１２に記載の無線装置。
【請求項１４】
前記プライマリＲＡＴシステムは、ＩＥＥＥ８０２.１１システムであり、
前記セカンダリＲＡＴシステムは、３ＧＰＰ ＬＴＥシステムである、請求項１１に記載の無線装置。
【請求項１５】
前記閾値が前記測定結果より高い場合、前記条件は満たされる、請求項１４に記載の無線装置。
【国際調査報告】
2016524355.tif 000023
2016524355.tif 000024